(57)【要約】      （修正有）【課題】照明装置の能力を確保しつつ、省エネルギー化を図り、照度のむらが少ない照明システムを提供する。【解決手段】光軸が真上を向くように各ＬＥＤ素子１１が配置されるとともに、その上方に第１の反射面２１が配置され、第１の反射面の稜線が下方に向かって凸状となっている。また、一対の第２の反射面２２の間の空間に第１の反射面が配置され、第１の反射面によって反射された光が第２の反射面によってさらに反射され、各ＬＥＤ素子から直接照射される光も第２の反射面によって反射され、第２の反射面によって反射された光が室内の床等の照射位置に向かって照射される。【選択図】図２
2014017221.tif 000002
【特許請求の範囲】
【請求項１】
照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、
前記照明装置は、
所定方向に並設された複数のＬＥＤ素子と、
前記ＬＥＤ素子の並設方向に延在する一対の面から成ると共に、当該一対の面が交わる部分に前記各ＬＥＤ素子側に向かって凸状の稜線が形成された第１の反射面であって、この第１の反射面は前記各ＬＥＤ素子から照射される光のうち前記各ＬＥＤ素子の光軸に対して１０°以内の光照射角度範囲の光を受光するように配置されており、前記一対の面は前記稜線の近傍で互いに６０°以上１２０°以下の角度をなすものである、前記第１の反射面と、
前記各ＬＥＤ素子の光軸と交差し、且つ、前記ＬＥＤ素子の並設方向と交差する方向において前記第１の反射面の両外側に設けられた一対の第２の反射面と
を有すると共に、
前記一対の第２の反射面の間の空間に前記第１の反射面が配置されており、前記一対の第２の反射面は前記第１の反射面によって反射される光及び前記各ＬＥＤ素子から直接照射される光を反射するものであり、
前記電力供給ユニットは、
二次電池と、
前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、
を有し、
前記電力供給ユニットの前記電力供給回路は、前記太陽光発電パネルおよび／又は前記商用電源から前記出力部に供給される電力のうち前記出力部から出力されない電力を前記二次電池に供給するものである
ことを特徴とする照明システム。  
【請求項２】
照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、
前記照明装置は、
所定方向に並設された複数のＬＥＤ素子と、透光性材料から成り前記複数のＬＥＤ素子を覆う透光カバーとを有し、前記ＬＥＤ素子の並設方向と直交する方向における所定の光照射角度範囲に光を照射する光源と、
前記光源の前記ＬＥＤ素子の並設方向に延在する一対の面から成ると共に、当該一対の面が交わる部分に前記光源側に向かって凸状の稜線が形成された第１の反射面であって、この第１の反射面は前記光源から照射される光のうち前記光照射角度範囲の中央に対して１０°以内の範囲の光を受光するように配置されており、前記一対の面は前記稜線の近傍で互いに６０°以上１２０°以下の角度をなすものである、前記第１の反射面と、
前記光源の前記各ＬＥＤ素子の光軸と交差し、且つ、前記ＬＥＤ素子の並設方向と交差する方向において前記第１の反射面の両外側に設けられた一対の第２の反射面と
を有すると共に、
前記一対の第２の反射面の間の空間に前記第１の反射面が配置されており、前記一対の第２の反射面は前記第１の反射面によって反射される光及び前記光源から直接照射される光を反射するものであり、
前記電力供給ユニットは、
二次電池と、
前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、
を有し、
前記電力供給ユニットの前記電力供給回路は、前記太陽光発電パネルおよび／又は前記商用電源から前記出力部に供給される電力のうち前記出力部から出力されない電力を前記二次電池に供給するものである
ことを特徴とする照明システム。
【請求項３】
照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、
前記照明装置は、
所定方向に並設された複数のＬＥＤ素子と、透光性材料から成り前記複数のＬＥＤ素子を覆う透光カバーとを有し、前記ＬＥＤ素子の並設方向と直交する方向における所定の光照射角度範囲に光を照射する光源と、
前記光源の前記ＬＥＤ素子の並設方向に延在する一対の面から成ると共に、当該一対の面が交わる部分に前記光源側に向かって凸状の稜線が形成された第１の反射面であって、この第１の反射面は、前記各ＬＥＤ素子の光軸と直交し、且つ、前記ＬＥＤ素子の並設方向と直交する方向に所定の幅寸法（Ｗ２）を有するものである、前記第１の反射面と、
前記光源の前記各ＬＥＤ素子の光軸と交差し、且つ、前記ＬＥＤ素子の並設方向と交差する方向において前記第１の反射面の両外側に設けられた一対の第２の反射面と
を有すると共に、
前記第１の反射面の前記稜線は前記光源の前記光照射角度範囲の略中央に配置され、
前記一対の面は前記稜線の近傍で互いに６０°以上１２０°以下の角度をなし、
前記第１の反射面の前記稜線と光源の前記透光カバーとの距離（Ｄ）が前記第１の反射面の前記所定の幅寸法（Ｗ２）の１倍以下であり、
前記一対の第２の反射面の間の空間に前記第１の反射面が配置されており、前記一対の第２の反射面は前記第１の反射面によって反射される光及び前記光源から直接照射される光を反射するものであり、
前記電力供給ユニットは、
二次電池と、
前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、
を有し、
前記電力供給ユニットの前記電力供給回路は、前記太陽光発電パネルおよび／又は前記商用電源から前記出力部に供給される電力のうち前記出力部から出力されない電力を前記二次電池に供給するものである
ことを特徴とする照明システム。
【請求項４】
請求項１、２又は３記載の照明システムにおいて、
前記電力供給ユニットの前記電力供給回路は、
前記太陽光発電パネルによる発電量を検出する太陽光発電パネル発電量検出手段と、
前記出力部から出力される電力量を検出する出力電力量検出手段と、
前記太陽光発電パネル発電量検出手段と前記出力電力量検出手段とに接続され、前記出力部から出力される電力量に対して前記太陽光発電パネルによる発電量が不足している場合に前記商用電源から前記出力部に電力が供給されるように前記商用電源から前記出力部に供給される電力量を調整する電力コントロール手段と
を有するものである
ことを特徴とする照明システム。
【請求項５】
請求項４記載の照明システムにおいて、
前記電力供給ユニットの前記電力供給回路は、前記太陽光発電パネルおよび／又は前記商用電源から前記出力部に供給される電力のうち前記出力部から出力されない電力を前記二次電池に供給する際に、前記二次電池に対して所定電圧および所定電流で第１の所定時間だけ電力を供給する第１の充電動作と、前記第１の所定時間よりも短い第２の所定時間だけ前記二次電池に供給される電流を遮断又は前記所定電流よりも少なくする第２の充電動作とを繰り返すものである
ことを特徴とする照明システム。
【請求項６】
請求項１、２、３、４又は５の何れかに記載の照明システムにおいて、
前記第１の反射面の前記一対の面は平面から成る
ことを特徴とする照明システム。
【請求項７】
請求項１、２、３、４、５又は６の何れかに記載の照明システムにおいて、
前記第１の反射面の前記一対の面の中心線平均粗さが０．５μｍ以上である
ことを特徴とする照明システム。
【請求項８】
請求項１、２、３、４、５、６又は７の何れかに記載の照明システムにおいて、
前記第１の反射面の前記一対の面における前記第２反射面の近傍と前記第２の反射面における前記第１の反射面の近傍とのなす角度が１００°以上１４０°以下である
ことを特徴とする照明システム。
【請求項９】
請求項１、２、３、４、５、６、７又は８の何れかに記載の照明システムにおいて、
各第２の反射面が、単一又は複数の平面によって形成されている
ことを特徴とする照明システム。
【請求項１０】
請求項１、２、３、４、５、６、７又は８の何れかに記載の照明システムにおいて、
前記各第２の反射面が、前記各ＬＥＤ素子の光軸と交差し、且つ、前記ＬＥＤ素子の並設方向と交差する方向に並設された複数の面から成り、
各第２の反射面の前記各面は隣の面と１５５°以上の角度をなす
ことを特徴とする照明システム。
【請求項１１】
請求項１０記載の照明システムにおいて、
前記各第２の反射面の中の前記各面は隣の面と１６０°以上１７５°以下の角度をなす
照明システム。
【請求項１２】
照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、
前記照明装置は、
所定方向に延設された蛍光管と、当該蛍光管に沿って延設されたランプ内反射板と、透光性材料から成り前記蛍光管の延設方向に延在している透光カバーとを有する蛍光ランプであって、前記ランプ内反射板と前記透光カバーとの間に前記蛍光管が配置されており、前記蛍光管の延設方向と直交する方向における所定の光照射角度範囲に光を照射する、前記蛍光ランプと、
前記蛍光ランプの蛍光管の延設方向に延在する一対の面から成ると共に、当該一対の面が交わる部分に前記蛍光ランプ側に向かって凸状の稜線が形成された第１の反射面であって、この第１の反射面は前記蛍光ランプから照射される光のうち前記光照射角度範囲の中央に対して１０°以内の範囲の光を受光するように配置されており、前記一対の面は前記稜線の近傍で互いに６０°以上１２０°以下の角度をなすものである、前記第１の反射面と、
前記蛍光ランプの前記蛍光管の延設方向と直交する方向において前記第１の反射面の両外側に設けられた一対の第２の反射面と
を有すると共に、
当該一対の第２の反射面の間の空間に前記第１の反射面が配置されており、前記一対の第２の反射面は前記第１の反射面によって反射される光及び前記蛍光ランプから直接照射される光を反射するものであり、
前記電力供給ユニットは、
二次電池と、
前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、
を有し、
前記電力供給ユニットの前記電力供給回路は、前記太陽光発電パネルおよび／又は前記商用電源から前記出力部に供給される電力のうち前記出力部から出力されない電力を前記二次電池に供給するものである
ことを特徴とする照明システム。
【請求項１３】
請求項１２記載の照明システムにおいて、
前記電力供給ユニットの前記電力供給回路は、
前記太陽光発電パネルによる発電量を検出する太陽光発電パネル発電量検出手段と、
前記出力部から出力される電力量を検出する出力電力量検出手段と、
前記太陽光発電パネル発電量検出手段と前記出力電力量検出手段とに接続され、前記出力部から出力される電力量に対して前記太陽光発電パネルによる発電量が不足している場合に前記商用電源から前記出力部に電力が供給されるように前記商用電源から前記出力部に供給される電力量を調整する電力コントロール手段と
を有するものである
ことを特徴とする照明システム。
【請求項１４】
請求項１３記載の照明システムにおいて、
前記電力供給ユニットの前記電力供給回路は、前記太陽光発電パネルおよび／又は前記商用電源から前記出力部に供給される電力のうち前記出力部から出力されない電力を前記二次電池に供給する際に、前記二次電池に対して所定電圧および所定電流で第１の所定時間だけ電力を供給する第１の充電動作と、前記第１の所定時間よりも短い第２の所定時間だけ前記二次電池に供給される電流を遮断又は前記所定電流よりも少なくする第２の充電動作とを繰り返すものである
ことを特徴とする照明システム。
【請求項１５】
請求項１２、１３又は１４記載の照明システムにおいて、
前記照明装置の前記蛍光ランプの前記ランプ内反射板は、
前記蛍光管の延設方向に延在する一対の面から成り、当該一対の面が交わる部分に前記蛍光管側に向かって凸状の稜線が形成された第１の反射面と、
前記蛍光管の延設方向と直交する方向において前記第１の反射面の両側に設けられた一対の第２の反射面と
を有するものであり、
前記照明装置はさらに、前記ランプ内反射板の前記一対の第２の反射面の間の空間に前記ランプ内反射板の前記第１の反射面が配置されており、前記ランプ内反射板の前記一対の第２の反射面は前記ランプ内反射板の前記第１の反射面によって反射される光及び前記蛍光管から直接照射される光を反射するものである
ことを特徴とする照明システム。
【請求項１６】
照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、
前記照明装置は、所定方向に延設された蛍光管と、当該蛍光管に沿って延設された反射板とを有するものであって、
前記蛍光管はその延設方向と直交する方向において３６０°の光照射角度範囲に光を照射するものであり、
前記反射板は、前記蛍光管から照射される光のうち所定の光照射角度範囲の光を受光するものであり、
前記反射板には、
前記蛍光管の延設方向に延在する一対の面から成ると共に、当該一対の面が交わる部分に前記蛍光管側に向かって凸状の稜線が形成された第１の反射面であって、この第１の反射面は前記蛍光管から照射される光のうち所定の光照射角度範囲の光を受光するように配置され、前記一対の面は前記稜線の近傍で互いに６０°以上１２０°以下の角度をなすものである、前記第１の反射面と、
前記蛍光管の延設方向と直交する方向において前記第１の反射面の両外側に設けられた一対の第２の反射面と
が設けられており、
前記一対の第２の反射面の間の空間に前記第１の反射面が配置されており、前記一対の第２の反射面は前記第１の反射面によって反射される光及び前記蛍光管から直接照射される光を反射するものであり、
前記電力供給ユニットは、
二次電池と、
前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、
を有し、
前記電力供給ユニットの前記電力供給回路は、前記太陽光発電パネルおよび／又は前記商用電源から前記出力部に供給される電力のうち前記出力部から出力されない電力を前記二次電池に供給するものである
ことを特徴とする照明システム。
【請求項１７】
請求項１６記載の照明システムにおいて、
前記電力供給ユニットの前記電力供給回路は、
前記太陽光発電パネルによる発電量を検出する太陽光発電パネル発電量検出手段と、
前記出力部から出力される電力量を検出する出力電力量検出手段と、
前記太陽光発電パネル発電量検出手段と前記出力電力量検出手段とに接続され、前記出力部から出力される電力量に対して前記太陽光発電パネルによる発電量が不足している場合に前記商用電源から前記出力部に電力が供給されるように前記商用電源から前記出力部に供給される電力量を調整する電力コントロール手段と
を有するものである
ことを特徴とする照明システム。
【請求項１８】
請求項１７記載の照明システムにおいて、
前記電力供給ユニットの前記電力供給回路は、前記太陽光発電パネルおよび／又は前記商用電源から前記出力部に供給される電力のうち前記出力部から出力されない電力を前記二次電池に供給する際に、前記二次電池に対して所定電圧および所定電流で第１の所定時間だけ電力を供給する第１の充電動作と、前記第１の所定時間よりも短い第２の所定時間だけ前記二次電池に供給される電流を遮断又は前記所定電流よりも少なくする第２の充電動作とを繰り返すものである
ことを特徴とする照明システム。
【請求項１９】
請求項１２、１３、１４、１５、１６、１７又は１８の何れかに記載の照明システムにおいて、
前記第１の反射面の前記一対の面における前記第２反射面の近傍と前記第２の反射面における前記第１の反射面の近傍とのなす角度は１００°以上１４０°以下である
照明システム。
【発明の詳細な説明】
【技術分野】
【０００１】
本発明は、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムに関するものである。
【背景技術】
【０００２】
従来の蓄電機能付きの照明装置としては、太陽電池と、照明装置と、電圧調整部と、蓄電部とを備え、電圧調整部が、太陽電池の出力時に太陽電池の温度に基づいて太陽電池の出力電圧を出力可能な最大値に調整して蓄電部に印加し、太陽電池の非出力時に蓄電部の電圧を所定値に調整して負荷に印加するものが知られている（例えば、特許文献１参照。）。
【０００３】
このような照明装置は、太陽電池からの電力を利用することにより省エネルギー化を図っているが、太陽電池からの電力にのみ頼っているので、日射量が少ない日は蓄電部に蓄電されている電力が不足し、その日の夜等に照明装置を駆動することができない場合があった。
【０００４】
一方、従来の室内用の照明装置としては、蛍光管と、蛍光管の背面側に配置された傘や反射板とを備え、蛍光管の前面から照射される光が室内に直接照射され、蛍光管の背面側から照射される光が傘や反射板によって反射して室内に補助的に照射されるものが知られている（例えば、特許文献２及び特許文献３参照。）。
【０００５】
一方、近年では、省エネルギー化及び長寿命化の観点から、蛍光管を複数のＬＥＤ素子が並設された直管型の光源に置き換えることが検討されている（例えば、特許文献４参照。）。しかしながら、蛍光管は全方位の指向特性を有しているのに対し、ＬＥＤ素子は一定の角度範囲のみに強い光を照射する指向特性を有しているので、単に複数のＬＥＤ素子を一列に並べただけでは蛍光管の代わりにはならない。このため、複数のＬＥＤ素子を複数列に並設するとともに、各列のＬＥＤ素子の光軸を互いにずらした直管型の光源が知られている（例えば、特許文献５参照。）。
【０００６】
しかしながら、前述のようにＬＥＤ素子を複数列に並設する場合でも、蛍光灯のように全方位に亘ってほぼ均一な指向特性となる訳ではなく、各ＬＥＤ素子の一定の照射角度範囲、特に光軸の近傍が他の範囲よりも明るくなることには変わりがない。このため、照射位置において照度のむらが出やすく、蛍光灯からの交換時に不快感を覚える者もいる。
【０００７】
さらに、近年では、省エネルギー化及び長寿命化の観点から、冷陰極管（ＣＣＦＬ管）を用いた直管型の蛍光ランプを通常の蛍光灯の代わりに用いることが検討されている（例えば、特許文献６参照。）。この蛍光ランプは、所定方向に延設された複数の冷陰極管と、冷陰極管に沿うように延設された平面状の反射板と、冷陰極管に沿うように延設された透光性カバーとを備え、反射板と透光性カバーとの間に冷陰極管が配置されているものである。
【０００８】
冷陰極管の駆動電力は、直径２８ｍｍや３２．５ｍｍの通常の蛍光管の駆動電力に比べて少なく、冷陰極管は寿命の面でも通常の蛍光管に比べて優れているので、省エネルギー化及び長寿命化の点で有利である。しかし、冷陰極管の直径は数ｍｍ程度であり、その発光量は通常の蛍光管に比べてかなり劣っているので、従来から冷陰極管は室内用照明としては適していないと考えられており、液晶画面のバックライト等の低照度の用途で使用されるに留まっていた。
【０００９】
このため、近年では、冷陰極管を用いた直管型の蛍光ランプの発光量を向上するために、冷陰極管自体の発光量の改良について研究・開発が行われている。しかしながら、冷陰極管の発光方式や直径が小さいこと等が要因となり、冷陰極管自体の発光量をなかなか向上することができていない。このため、現在でも、冷陰極管を用いた直管型の蛍光ランプの発光量は通常の蛍光管に比べてかなり劣っている状態である。
【先行技術文献】
【特許文献】
【００１０】
【特許文献１】特開２００４−２０８４２３号公報
【特許文献２】実用新案登録第３１２５９９８号公報
【特許文献３】特開２００８−３００２３０号公報
【特許文献４】特開２０１０−１１３０５５号公報
【特許文献５】意匠登録第１２０３１６９号公報
【特許文献６】特開２０１０−２５１２６１号公報
【発明の概要】
【発明が解決しようとする課題】
【００１１】
本発明は前記課題に鑑みてなされたものであり、その目的とするところは、照明装置の能力を確保しつつ省エネルギー化を図ることができ、さらに照明装置の照射位置における照度のむらが少ない照明システムを提供することにある。
【課題を解決するための手段】
【００１２】
上記目的を達成するため、本発明の主要な観点によれば、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、前記照明装置は、所定方向に並設された複数のＬＥＤ素子と、前記ＬＥＤ素子の並設方向に延在する一対の面から成ると共に、当該一対の面が交わる部分に前記各ＬＥＤ素子側に向かって凸状の稜線が形成された第１の反射面であって、この第１の反射面は前記各ＬＥＤ素子から照射される光のうち前記各ＬＥＤ素子の光軸に対して１０°以内の光照射角度範囲の光を受光するように配置されており、前記一対の面は前記稜線の近傍で互いに６０°以上１２０°以下の角度をなすものである、前記第１の反射面と、前記各ＬＥＤ素子の光軸と交差し、且つ、前記ＬＥＤ素子の並設方向と交差する方向において前記第１の反射面の両外側に設けられた一対の第２の反射面とを有すると共に、前記一対の第２の反射面の間の空間に前記第１の反射面が配置されており、前記一対の第２の反射面は前記第１の反射面によって反射される光及び前記各ＬＥＤ素子から直接照射される光を反射するものであり、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、を有し、前記電力供給ユニットの前記電力供給回路は、前記太陽光発電パネルおよび／又は前記商用電源から前記出力部に供給される電力のうち前記出力部から出力されない電力を前記二次電池に供給するものであることを特徴とする照明システムが提供される。
【００１３】
この照明システムは、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成されているので、太陽光発電パネルからの出力が足らない場合は商用電源からの電力で照明装置が確実に駆動される。
【００１４】
また、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路とを有し、前記電力供給ユニットの前記電力供給回路は、前記太陽光発電パネルおよび／又は前記商用電源から前記出力部に供給される電力のうち前記出力部から出力されない電力を前記二次電池に供給するものであるので、太陽光発電パネルで発電された電力を無駄にすることがなく、省エネルギー化を図る上で極めて有利な構成である。
【００１５】
また、本照明システムの照明装置は、各ＬＥＤ素子の光軸に対して１０°以内の光照射角度範囲の光が第1の反射面の一対の面によって受光され、該一対の面が交わる部分には各ＬＥＤ素子側に向かって凸状の稜線が形成され、第1の反射面の一対の面は稜線の近傍で互いに６０°以上１２０°以下の角度をなすので、各ＬＥＤ素子からの光が第1の反射面によって反射し、その反射した光の大部分は各ＬＥＤ素子の光軸に対して第１の反射面の傾斜角度に応じた角度（例えば４５°以上の角度）をなすように外側に向かって進むことになる。また、第1の反射面の両外側に一対の第２の反射面を有し、該一対の第２の反射面の間の空間に第1の反射面が配置され、第1の反射面によって反射された光が第２の反射面によってさらに反射され、各ＬＥＤ素子からの光のうち第１の反射面に照射されない光が第２の反射面によって反射されるようになっている。
【００１６】
例えば、この照明装置が室内の天井に取付けられる場合、光軸が真上を向くように各ＬＥＤ素子が配置されるとともに、その上方に第１の反射面が配置され、第１の反射面の稜線が下方に向かって凸状となる。また、一対の第２の反射面の間の空間に第1の反射面が配置され、第1の反射面によって反射された光が第２の反射面によってさらに反射され、各ＬＥＤ素子からの光のうち第１の反射面に照射されない光が第２の反射面によって反射され、第２の反射面によって反射された光が室内の床等の照射位置に向かって照射される。
【００１７】
このように、各ＬＥＤ素子から出る光のうち光軸周りの強い光が第１の反射面によって反射されて、その反射した光の大部分は各ＬＥＤ素子の光軸に対して第１の反射面の傾斜角度に応じた角度をなすように外側に向かって進み、その光が第２の反射面によって床等の照射位置に照射される。このため、第２の反射面の仕様を適宜調整することによって、各ＬＥＤ素子の光が直接的に床等の照射位置に照射される場合と比較し、照射位置における照度のむらを低減することができる。
【００１８】
また、室内の天井において光軸が真上を向くように各ＬＥＤ素子が配置されても、各ＬＥＤ素子から出る光のうち光軸周りの強い光が第１の反射面によって反射され、その反射した光が第２の反射面によって床等の照射位置に照射され、各ＬＥＤ素子から第２の反射面に直接照射される光も床等の照射位置に向かって反射する。このため、各ＬＥＤ素子からの光を効率的に床等の照射位置に照射することができる。即ち、照射位置における照度を確保しつつ省エネルギー化を図る上で極めて有利である。
【００１９】
また、本発明の他の主要な観点によれば、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、前記照明装置は、所定方向に並設された複数のＬＥＤ素子と、透光性材料から成り前記複数のＬＥＤ素子を覆う透光カバーとを有し、前記ＬＥＤ素子の並設方向と直交する方向における所定の光照射角度範囲に光を照射する光源と、前記光源の前記ＬＥＤ素子の並設方向に延在する一対の面から成ると共に、当該一対の面が交わる部分に前記光源側に向かって凸状の稜線が形成された第１の反射面であって、この第１の反射面は前記光源から照射される光のうち前記光照射角度範囲の中央に対して１０°以内の範囲の光を受光するように配置されており、前記一対の面は前記稜線の近傍で互いに６０°以上１２０°以下の角度をなすものである、前記第１の反射面と、前記光源の前記各ＬＥＤ素子の光軸と交差し、且つ、前記ＬＥＤ素子の並設方向と交差する方向において前記第１の反射面の両外側に設けられた一対の第２の反射面とを有すると共に、前記一対の第２の反射面の間の空間に前記第１の反射面が配置されており、前記一対の第２の反射面は前記第１の反射面によって反射される光及び前記光源から直接照射される光を反射するものであり、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、を有し、前記電力供給ユニットの前記電力供給回路は、前記太陽光発電パネルおよび／又は前記商用電源から前記出力部に供給される電力のうち前記出力部から出力されない電力を前記二次電池に供給するものであることを特徴とする照明システムが提供される。
【００２０】
この照明システムは、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成されているので、太陽光発電パネルからの出力が足らない場合は商用電源からの電力で照明装置が確実に駆動される。
【００２１】
また、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路とを有し、前記電力供給ユニットの前記電力供給回路は、前記太陽光発電パネルおよび／又は前記商用電源から前記出力部に供給される電力のうち前記出力部から出力されない電力を前記二次電池に供給するものであるので、太陽光発電パネルで発電された電力を無駄にすることがなく、省エネルギー化を図る上で極めて有利な構成である。
【００２２】
また、本照明システムの照明装置は、光源の光照射角度範囲の中央に対して１０°以内の範囲の光が第1の反射面の一対の面によって受光され、該一対の面が交わる部分には各ＬＥＤ素子側に向かって凸状の稜線が形成され、第1の反射面の一対の面は稜線の近傍で互いに６０°以上１２０°以下の角度をなすので、各ＬＥＤ素子からの光が第1の反射面によって反射し、その反射した光の大部分は各ＬＥＤ素子の光軸に対して第１の反射面の傾斜角度に応じた角度（例えば４５°以上の角度）をなすように外側に向かって進むことになる。また、第1の反射面の両外側に一対の第２の反射面を有し、該一対の第２の反射面の間の空間に第1の反射面が配置され、第1の反射面によって反射された光が第２の反射面によってさらに反射され、光源からの光のうち第１の反射面に照射されない光が第２の反射面によって反射されるようになっている。
【００２３】
例えば、この照明装置が室内の天井に取付けられる場合、光軸が真上を向くように各ＬＥＤ素子が配置されるとともに、その上方に第１の反射面が配置され、第１の反射面の稜線が下方に向かって凸状となる。また、一対の第２の反射面の間の空間に第1の反射面が配置され、第1の反射面によって反射された光が第２の反射面によってさらに反射され、各ＬＥＤ素子からの光のうち第１の反射面に照射されない光が第２の反射面によって反射され、第２の反射面によって反射された光が室内の床等の照射位置に向かって照射される。
【００２４】
このように、光源から出る光のうち光照射範囲中央近傍の強い光が第１の反射面によって反射されて、その反射した光の大部分は各ＬＥＤ素子の光軸に対して第１の反射面の傾斜角度に応じた角度をなすように外側に向かって進み、その光が第２の反射面によって床等の照射位置に照射される。このため、第２の反射面の仕様を適宜調整することによって、各ＬＥＤ素子の光が直接的に床等の照射位置に照射される場合と比較し、照射位置における照度のむらを低減することができる。
【００２５】
また、室内の天井において光軸が真上を向くように各ＬＥＤ素子が配置されても、光源から出る光のうち光照射範囲中央近傍の強い光が第１の反射面によって反射され、その反射した光が第２の反射面によって床等の照射位置に照射され、光源から第２の反射面に直接照射される光も床等の照射位置に向かって反射する。このため、各ＬＥＤ素子からの光を効率的に床等の照射位置に照射することができる。即ち、照射位置における照度を確保しつつ省エネルギー化を図る上で極めて有利である。
【００２６】
また、本発明のさらに他の主要な観点によれば、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、前記照明装置は、所定方向に並設された複数のＬＥＤ素子と、透光性材料から成り前記複数のＬＥＤ素子を覆う透光カバーとを有し、前記ＬＥＤ素子の並設方向と直交する方向における所定の光照射角度範囲に光を照射する光源と、前記光源の前記ＬＥＤ素子の並設方向に延在する一対の面から成ると共に、当該一対の面が交わる部分に前記光源側に向かって凸状の稜線が形成された第１の反射面であって、この第１の反射面は、前記各ＬＥＤ素子の光軸と直交し、且つ、前記ＬＥＤ素子の並設方向と直交する方向に所定の幅寸法（Ｗ２）を有するものである、前記第１の反射面と、前記光源の前記各ＬＥＤ素子の光軸と交差し、且つ、前記ＬＥＤ素子の並設方向と交差する方向において前記第１の反射面の両外側に設けられた一対の第２の反射面とを有すると共に、前記第１の反射面の前記稜線は前記光源の前記光照射角度範囲の略中央に配置され、前記一対の面は前記稜線の近傍で互いに６０°以上１２０°以下の角度をなし、前記第１の反射面の前記稜線と光源の前記透光カバーとの距離（Ｄ）が前記第１の反射面の前記所定の幅寸法（Ｗ２）の１倍以下であり、前記一対の第２の反射面の間の空間に前記第１の反射面が配置されており、前記一対の第２の反射面は前記第１の反射面によって反射される光及び前記光源から直接照射される光を反射するものであり、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、を有し、前記電力供給ユニットの前記電力供給回路は、前記太陽光発電パネルおよび／又は前記商用電源から前記出力部に供給される電力のうち前記出力部から出力されない電力を前記二次電池に供給するものであることを特徴とする照明システムが提供される。
【００２７】
この照明システムは、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成されているので、太陽光発電パネルからの出力が足らない場合は商用電源からの電力で照明装置が確実に駆動される。
【００２８】
また、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路とを有し、前記電力供給ユニットの前記電力供給回路は、前記太陽光発電パネルおよび／又は前記商用電源から前記出力部に供給される電力のうち前記出力部から出力されない電力を前記二次電池に供給するものであるので、太陽光発電パネルで発電された電力を無駄にすることがなく、省エネルギー化を図る上で極めて有利な構成である。
【００２９】
また、本照明システムの照明装置は、第１の反射面の一対の面が交わる部分には光源の各ＬＥＤ素子側に向かって凸状の稜線が形成され、該稜線が光源の光照射範囲の略中央に配置され、第1の反射面の一対の面は稜線の近傍で互いに６０°以上１２０°以下の角度をなすので、光源の各ＬＥＤ素子からの光が第1の反射面によって反射し、その反射した光の大部分は光源の光軸に対して第１の反射面の傾斜角度に応じた角度（例えば４５°以上の角度）をなすように外側に向かって進むことになる。また、第1の反射面の両外側に設けられた一対の第２の反射面を有し、該一対の第２の反射面の間の空間に第1の反射面が配置され、第1の反射面によって反射された光が第２の反射面によってさらに反射され、光源の各ＬＥＤ素子からの光のうち第１の反射面に照射されない光が第２の反射面によって反射されるようになっている。
【００３０】
例えば、この照明装置が室内の天井に取付けられる場合、各ＬＥＤ素子の光軸が上を向くように光源が配置されるとともに、その上方に第１の反射面が配置され、第１の反射面の稜線が下方に向かって凸状となる。また、一対の第２の反射面の間の空間に第1の反射面が配置され、第1の反射面によって反射された光が第２の反射面によってさらに反射され、光源の各ＬＥＤ素子からの光のうち第１の反射面に照射されない光が第２の反射面によって反射され、第２の反射面によって反射された光が室内の床等の所定の照射位置に向かって照射される。
【００３１】
このように、光源から出る光のうち光照射範囲中央近傍の強い光が第１の反射面によって反射されて、その反射した光の大部分は光源の各ＬＥＤ素子の光軸に対して第１の反射面の傾斜角度に応じた角度をなすように外側に向かって進み、その光が第２の反射面によって床等の所定の照射位置に照射される。このため、第２の反射面の仕様を適宜調整することによって、各ＬＥＤ素子の光が直接的に床等の照射位置に向かって照射される場合と比較し、照射位置における照度のむらを低減することができる。
【００３２】
また、室内の天井において光軸が真上を向くように各ＬＥＤ素子が配置されても、光源から出る光のうち光照射範囲中央近傍の強い光が第１の反射面によって反射され、その反射した光が第２の反射面によって床等の所定の照射位置に照射され、光源から第２の反射面に直接照射される光も床等の所定の照射位置に向かって反射する。このため、光源の各ＬＥＤ素子からの光を効率的に床等の所定の照射位置に照射することができる。即ち、照射位置における照度を確保しつつ省エネルギー化を図る上で極めて有利である。
【００３３】
また、本発明のさらに他の主要な観点によれば、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、前記照明装置は、所定方向に延設された蛍光管と、当該蛍光管に沿って延設されたランプ内反射板と、透光性材料から成り前記蛍光管の延設方向に延在している透光カバーとを有する蛍光ランプであって、前記ランプ内反射板と前記透光カバーとの間に前記蛍光管が配置されており、前記蛍光管の延設方向と直交する方向における所定の光照射角度範囲に光を照射する、前記蛍光ランプと、前記蛍光ランプの蛍光管の延設方向に延在する一対の面から成ると共に、当該一対の面が交わる部分に前記蛍光ランプ側に向かって凸状の稜線が形成された第１の反射面であって、この第１の反射面は前記蛍光ランプから照射される光のうち前記光照射角度範囲の中央に対して１０°以内の範囲の光を受光するように配置されており、前記一対の面は前記稜線の近傍で互いに６０°以上１２０°以下の角度をなすものである、前記第１の反射面と、前記蛍光ランプの前記蛍光管の延設方向と直交する方向において前記第１の反射面の両外側に設けられた一対の第２の反射面とを有すると共に、当該一対の第２の反射面の間の空間に前記第１の反射面が配置されており、前記一対の第２の反射面は前記第１の反射面によって反射される光及び前記蛍光ランプから直接照射される光を反射するものであり、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、を有し、前記電力供給ユニットの前記電力供給回路は、前記太陽光発電パネルおよび／又は前記商用電源から前記出力部に供給される電力のうち前記出力部から出力されない電力を前記二次電池に供給するものであることを特徴とする照明システムが提供される。
【００３４】
この照明システムは、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成されているので、太陽光発電パネルからの出力が足らない場合は商用電源からの電力で照明装置が確実に駆動される。
【００３５】
また、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路とを有し、前記電力供給ユニットの前記電力供給回路は、前記太陽光発電パネルおよび／又は前記商用電源から前記出力部に供給される電力のうち前記出力部から出力されない電力を前記二次電池に供給するものであるので、太陽光発電パネルで発電された電力を無駄にすることがなく、省エネルギー化を図る上で極めて有利な構成である。
【００３６】
また、本照明システムの照明装置は、第１の反射面の一対の面が交わる部分には蛍光ランプ側に向かって凸状の稜線が形成され、該稜線が蛍光ランプの光照射角度範囲の中央に対して１０°以内の範囲の光を受光するように配置され、第1の反射面の一対の面は稜線の近傍で互いに６０°以上１２０°以下の角度をなすので、蛍光ランプからの光が第1の反射面によって反射し、その反射した光の大部分は蛍光ランプの光軸面に対して第１の反射面の傾斜角度に応じた角度（例えば４５°以上の角度）をなすように外側に向かって進むことになる。また、第1の反射面の両外側に設けられた一対の第２の反射面を有し、該一対の第２の反射面の間の空間に第1の反射面が配置され、第1の反射面によって反射された光が第２の反射面によってさらに反射され、蛍光ランプから直接照射される光も第２の反射面によって反射されるようになっている。
【００３７】
例えば、この照明装置が室内の天井に取付けられる場合、光軸面が上を向くように蛍光ランプが配置されるとともに、その上方に第１の反射面が配置され、第１の反射面の稜線が下方に向かって凸状となる。また、一対の第２の反射面の間の空間に第1の反射面が配置され、第1の反射面によって反射された光が第２の反射面によってさらに反射され、蛍光ランプから直接照射される光も第２の反射面によって反射され、第２の反射面によって反射された光が室内の床等の所定の照射位置に向かって照射される。
【００３８】
したがって、蛍光ランプからの光を効率的に床等の所定の照射位置に照射することができ、照射位置における照度を確保しつつ省エネルギー化を図る上で極めて有利である。
【００３９】
また、本発明のさらに他の主要な観点によれば、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成された照明システムであって、前記照明装置は、所定方向に延設された蛍光管と、当該蛍光管に沿って延設された反射板とを有するものであって、前記蛍光管はその延設方向と直交する方向において３６０°の光照射角度範囲に光を照射するものであり、前記反射板は、前記蛍光管から照射される光のうち所定の光照射角度範囲の光を受光するものであり、前記反射板には、前記蛍光管の延設方向に延在する一対の面から成ると共に、当該一対の面が交わる部分に前記蛍光管側に向かって凸状の稜線が形成された第１の反射面であって、この第１の反射面は前記蛍光管から照射される光のうち所定の光照射角度範囲の光を受光するように配置され、前記一対の面は前記稜線の近傍で互いに６０°以上１２０°以下の角度をなすものである、前記第１の反射面と、前記蛍光管の延設方向と直交する方向において前記第１の反射面の両外側に設けられた一対の第２の反射面とが設けられており、前記一対の第２の反射面の間の空間に前記第１の反射面が配置されており、前記一対の第２の反射面は前記第１の反射面によって反射される光及び前記蛍光管から直接照射される光を反射するものであり、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路と、を有し、前記電力供給ユニットの前記電力供給回路は、前記太陽光発電パネルおよび／又は前記商用電源から前記出力部に供給される電力のうち前記出力部から出力されない電力を前記二次電池に供給するものであることを特徴とする照明システムが提供される。
【００４０】
この照明システムは、照明装置と、前記照明装置、太陽光発電パネルおよび商用電源に接続された電力供給ユニットとを備え、前記電力供給ユニットが前記太陽光発電パネルおよび／又は前記商用電源からの電力を出力部から出力するように構成され、前記照明装置が前記電力供給ユニットの前記出力部から出力される前記電力によって駆動されるように構成されているので、太陽光発電パネルからの出力が足らない場合は商用電源からの電力で照明装置が確実に駆動される。
【００４１】
また、前記電力供給ユニットは、二次電池と、前記二次電池、前記太陽光発電パネル、前記商用電源および前記出力部に接続され、前記太陽光発電パネルで生成された電力を前記出力部に供給可能であると共に、前記商用電源からの電力を前記出力部に供給可能である電力供給回路とを有し、前記電力供給ユニットの前記電力供給回路は、前記太陽光発電パネルおよび／又は前記商用電源から前記出力部に供給される電力のうち前記出力部から出力されない電力を前記二次電池に供給するものであるので、太陽光発電パネルで発電された電力を無駄にすることがなく、省エネルギー化を図る上で極めて有利な構成である。
【００４２】
また、本照明システムの照明装置は、第１の反射面の一対の面が交わる部分には蛍光管側に向かって凸状の稜線が形成され、該稜線が前記所定の光照射角度範囲の中央に対して１０°以内の範囲の光を受光するように配置され、第1の反射面の一対の面は稜線の近傍で互いに６０°以上１２０°以下の角度をなすので、蛍光管からの光が第1の反射面によって反射し、その反射した光の大部分は前記中央面に対して第１の反射面の傾斜角度に応じた角度（例えば４５°以上の角度）をなすように外側に向かって進むことになる。また、第1の反射面の両外側に設けられた一対の第２の反射面を有し、該一対の第２の反射面の間の空間に第1の反射面が配置され、第1の反射面によって反射された光が第２の反射面によってさらに反射され、蛍光ランプから直接照射される光も第２の反射面によって反射されるようになっている。
【００４３】
例えば、この照明装置が室内の天井に取付けられる場合、前記中央面が上を向くように蛍光管が配置されるとともに、その上方に第１の反射面が配置され、第１の反射面の稜線が下方に向かって凸状となる。また、一対の第２の反射面の間の空間に第1の反射面が配置され、第1の反射面によって反射された光が第２の反射面によってさらに反射され、蛍光管から直接照射される光も第２の反射面によって反射され、第２の反射面によって反射された光が室内の床等の所定の照射位置に向かって照射される。
【００４４】
したがって、蛍光管からの光を効率的に床等の所定の照射位置に照射することができ、照射位置における照度を確保しつつ省エネルギー化を図る上で極めて有利である。
【発明の効果】
【００４５】
本発明によれば、照明装置の能力を確保しつつ省エネルギー化を図ることができ、さらに照明装置の照射位置における照度のむらが少ない照明システムを提供することができる。
【００４６】
なお、上記した以外の本発明の特徴及び顕著な作用・効果は、この発明の原理を例示する以下の実施形態の説明及び図面を参照することで、当業者にとってより明確となる。
【図面の簡単な説明】
【００４７】
【図１】本発明の第１実施形態の照明装置の要部断面図
【図２】照明装置の断面図
【図３】照明装置の下面図
【図４】光源の上面図
【図５】光源の下面図
【図６】照明装置の斜視図
【図７】照明装置を設置した部屋の概略図
【図８】照明装置の動作説明図
【図９】本発明の第２実施形態の照明装置の要部断面図
【図１０】照明装置の動作説明図
【図１１】本発明の第３実施形態の照明装置の要部断面図
【図１２】照明装置の動作説明図
【図１３】本発明の第４実施形態の照明装置の要部断面図
【図１４】照明装置の動作説明図
【図１５】本発明の第５実施形態の照明装置の要部断面図
【図１６】照明装置の動作説明図
【図１７】本発明の第６実施形態の照明装置の要部断面図
【図１８】照明装置の動作説明図
【図１９】本発明の第７実施形態の照明装置の要部断面図
【図２０】照明装置の動作説明図
【図２１】実験結果を示す表
【図２２】実験方法を示す概略図
【図２３】比較例の照明装置の要部断面図
【図２４】第１実施形態の第１変形例を示す照明装置の要部断面図
【図２５】第１実施形態の第２変形例を示す照明装置の要部断面図
【図２６】第１実施形態の第３変形例を示す照明装置の要部断面図
【図２７】第１実施形態の第４変形例を示す照明装置の要部断面図
【図２８】第１実施形態の第５変形例を示す照明装置の要部断面図
【図２９】第１実施形態の第６変形例を示す照明装置の要部断面図
【図３０】第１実施形態の照明装置の使用状態説明図
【図３１】本発明の第８実施形態の照明装置の要部断面図
【図３２】照明装置の断面図
【図３３】照明装置の下面図
【図３４】蛍光ランプの上面図
【図３５】蛍光ランプの下面図
【図３６】蛍光ランプの要部断面図
【図３７】照明装置の動作説明図
【図３８】実験結果を示す表
【図３９】比較例の照明装置の要部断面図
【図４０】第８実施形態の第１変形例を示す照明装置の要部断面図
【図４１】第８実施形態の第２変形例を示す照明装置の要部断面図
【図４２】第８実施形態の第３変形例を示す照明装置の要部断面図
【図４３】本発明の第１５実施形態の照明装置の要部断面図
【図４４】本発明の第１６実施形態の照明装置の要部断面図
【図４５】本発明の第１７実施形態の照明装置の要部断面図
【図４６】実験結果を示す表
【図４７】本発明の第１８実施形態の照明装置の要部断面図
【図４８】電力供給ユニットの機能ブロック図を含む照明システムの概要図
【発明を実施するための形態】
【００４８】
本発明の第１実施形態の照明装置を図１〜８および図４８を参照しながら説明する。本実施形態では、図１、３及び６に示すように、ＬＥＤ素子の並設方向をＸ方向とし、ＬＥＤ素子の並設方向と直交し且つ光源の光軸と略直交する方向をＹ方向とする。
【００４９】
この照明システムは、図４８に示すように、照明装置１と、前記照明装置１、太陽光発電パネル５００および商用電源６００に接続された電力供給ユニット４００とを備え、前記電力供給ユニット４００が前記太陽光発電パネル５００や前記商用電源６００からの電力を出力部４４０から出力するように構成され、前記照明装置１が前記電力供給ユニット４００の前記出力部４４０から出力される前記電力によって駆動されるように構成されている。
【００５０】
電力供給ユニット４００は、図４８に示すように、太陽光発電パネル５００に接続されるＭＰＰＴ（Maximum Power Point Tracker）チャージコントローラ４１０と、商用電源６００に接続されるＡＣ／ＤＣコンバータ４２０と、二次電池４３０と、電力供給ユニット４００の出力部４４０に接続されたＤＣ／ＡＣコンバータ４５０と、ＭＰＰＴチャージコントローラ４１０を制御する第１コントローラ４６１と、第１コントローラ４６１と接続されると共に第１コントローラ４６１からデータを受信可能に構成され、ＡＣ／ＤＣコンバータ４２０を制御する第２コントローラ４６２と、ＤＣ／ＡＣコンバータ４５０を制御する第３コントローラ４６３と、太陽光発電パネル５００からの電力の電流値および電圧値を検出する太陽光発電パネル発電量検出手段としての第１センサー４７１と、商用電源６００からの入力電流の電流値おを検出する第２センサー４７２と、ＡＣ／ＤＣコンバータ４２０からの出力電力の電流値および電圧値を検出する第３センサー４７３と、ＤＣ／ＡＣコンバータ４５０からの出力電力の電流値を検出する出力電力量検出手段としての第４センサー４７４とを有する。なお、第１〜第３コントローラ４６１〜４６３は電力コントロール手段として機能する。
【００５１】
太陽光発電パネル５００は周知の太陽光発電パネルを用いることができ、例えば、太陽電池素子の受光面にガラス板や合成樹脂板などの光透過板を配置し、その裏面である非受光面にテフロン（登録商標）フィルムやＰＶＦ（ポリフッ化ビニル）、ＰＥＴ（ポリエチレンテレフタレート）などの耐光性フィルムを貼り付けたものである。太陽光発電パネル５００は１枚であっても良く、複数枚あっても良い。
【００５２】
ＭＰＰＴチャージコントローラ４１０は周知のＭＰＰＴチャージコントローラを用いることができる。本実施形態のＭＰＰＴチャージコントローラ４１０は、後述するように、二次電池４３０への充電のみを行う場合は、第１センサー４７１によって検出される太陽光発電パネル５００からの電力の電流値および電圧値に基づき、二次電池４３０への充電効率が最適となるように、第１コントローラ４６１によって二次電池４３０側に出力される出力電圧および電流が調整される。同じく、後述するように二次電池４３０への充電および出力部４４０からの出力を同時に行う場合は、第１センサー４７１によって検出される太陽光発電パネル５００からの電力の電流値および電圧値と、第４センサー４７４によって検出されるＤＣ／ＡＣコンバータ４５０からの出力電力の電流値とに基づき、第１コントローラ４６１がＭＰＰＴチャージコントローラ４１０を制御して二次電池４３０側に出力される出力電圧および電流を調整するものである。
【００５３】
ＡＣ／ＤＣコンバータ４２０は商用電源６００からの交流電力を直流電力に変換するものである。また、第２コントローラ４６２は、第３センサー４７３によって検出されるＡＣ／ＤＣコンバータ４２０からの出力電力の電流値および電圧値を参照して、ＡＣ／ＤＣコンバータ４２０の出力電圧および電流を調整する。
【００５４】
二次電池４３０は正極にリン酸鉄を用いたリチウムイオン二次電池であり、その他の構成は周知のリチウムイオン二次電池と同等である。また、二次電池４３０の正極側には正極への電力供給を遮断可能なスイッチ４３１が取付けられており、スイッチ４３１は第１コントローラ４６１に接続されている。
【００５５】
出力部４４０には、後述する照明装置のみが接続される場合もあるが、後述する照明装置以外の機器、例えば冷蔵庫やテレビ等の家電や、その他の電気製品が接続される場合もある。
【００５６】
ＤＣ／ＡＣコンバータ４５０は、ＭＰＰＴチャージコントローラ４１０からの直流電力、ＡＣ／ＤＣコンバータ４２０からの直流電力、および二次電池４３０からの直流電力を交流電力に変換するものである。
【００５７】
上記構成の電力供給ユニット４００は、例えば、晴れた昼間で太陽光発電パネル５００の発電力が出力部４４０の先に接続された機器が消費する電力に対して多い場合は、第１センサー４７１および第４センサー４７４の検出値に基づき、第１コントローラ４６１がＭＰＰＴチャージコントローラ４１０を制御することにより、太陽光発電パネル５００からの電力がＭＰＰＴチャージコントローラ４１０およびＤＣ／ＡＣコンバータ４５０を介して出力部４４０から出力されると共に、出力部４４０から出力されない電力が二次電池４３０に充電される。この時、太陽光発電パネル５００の発電力が十分であるならば、二次電池４３０への充電電圧が１９〜２９Ｖとなり、充電電流が３０Ａとなるように、第１コントローラ４６１がＭＰＰＴチャージコントローラ４１０を制御する。ここで、充電電流が３０Ａとなる充電は急速充電であるが、本実施形態ではリン酸鉄を用いたリチウムイオン二次電池４３０を用いているため、二次電池４３０の発熱が抑制される。また、第１コントローラ４６１は、前記充電電圧および電流で第１の所定時間（本実施形態では３〜２０分、好ましくは５〜１５分）充電する第１の充電動作と、スイッチ４３１によって充電電流を第２の所定時間（本実施形態では３〜３０秒、好ましくは５〜１５秒）遮断する第２の充電動作とを繰り返すように、ＭＰＰＴチャージコントローラ４１０およびスイッチ４３１を制御する。なお、第２の充電動作で前記充電電流を前記第２の所定時間だけ第１の充電動作よりも低電流とすることもできる。これにより、二次電池４３０の膨張を抑制することができ、本実施形態のシステムが安全なものとなり、システムの長寿命化を図ることも可能となる。また、晴れた昼間で太陽光発電パネル５００の発電力が出力部４４０の先に接続された機器が消費する電力に対して多い場合は、その電力を売電することも可能であり、前記二次電池４３０に蓄電した電力を別途売電することも可能である。
【００５８】
また、昼間で太陽光発電パネル５００の発電力が出力部４４０の先に接続された機器が消費する電力に対して少ない場合は、第１センサー４７１および第４センサー４７４の検出値に基づき、第１コントローラ４６１がＭＰＰＴチャージコントローラ４１０を制御すると共に、第２コントローラ４６２がＡＣ／ＤＣコンバータ４２０を制御することにより、太陽光発電パネル５００からの電力がＭＰＰＴチャージコントローラ４１０およびＤＣ／ＡＣコンバータ４５０を介して出力部４４０から出力されると共に、商用電源６００からの電力がＡＣ／ＤＣコンバータ４２０およびＤＣ／ＡＣコンバータ４５０を介して出力部４４０から出力される。この時に、二次電池４３０への充電も行う場合は、二次電池４３０への充電電圧が１９〜２９Ｖとなり、充電電流が３０Ａとなるように、第１コントローラ４６１がＭＰＰＴチャージコントローラ４１０を制御すると共に、第２コントローラ４６２がＡＣ／ＤＣコンバータ４２０を制御する。また、上記と同様に第１の充電動作と第２の充電動作を繰り返す。
【００５９】
また、夜間等で太陽光発電パネル５００による発電が無い場合は、二次電池４３０の電力がＤＣ／ＡＣコンバータ４５０を介して出力部４４０から出力される。この時、二次電池４３０の定格出力が出力部４４０の先に接続された機器が消費する電力に対して少ない場合は、第４センサー４７４の検出値に基づき、第２コントローラ４６２がＡＣ／ＤＣコンバータ４２０を制御することにより、商用電源６００からの電力もＡＣ／ＤＣコンバータ４２０およびＤＣ／ＡＣコンバータ４５０を介して出力部４４０から出力される。
【００６０】
また、夜間等で太陽光発電パネル５００の発電が無い時に二次電池４３０への充電を行う場合は、二次電池４３０への充電電圧が１９〜２９Ｖとなり、充電電流が３０Ａとなるように、第２コントローラ４６２がＡＣ／ＤＣコンバータ４２０を制御する。また、上記と同様に第１の充電動作と第２の充電動作を繰り返す。
【００６１】
一方、照明装置１は、図１〜８に示すように、直管型の光源１０と反射板２０とを備えており、電力供給ユニット４００の出力部４４０から電力が供給される。
【００６２】
光源１０は、例えば特開２０１０−１９２２４２号公報や特開２０１０−２１２０４３号公報等に開示されている公知の直管型のＬＥＤ光源を用いることが可能である。本実施形態では、所定方向（Ｘ方向）に並設された複数のＬＥＤ素子１１と、合成プラスチックやガラス等の公知の透光性材料から成ると共に、ＬＥＤ素子１１の並設方向に延在し、前記複数のＬＥＤ素子１１を覆うように設けられて、ＬＥＤ素子１１の並設方向と直交し且つ光源１０の光軸と略直交する方向（Ｙ方向）に所定の幅寸法Ｗ１を有する透光カバー１２と、複数のＬＥＤ１１が実装されている基板１３と、基板１３におけるＬＥＤ１１の実装面とは反対の面に接触し、光源１０の外周面の一部を構成しているヒートシンク１４と、光源１０の長手方向の両端にそれぞれ設けられた口金１５と、各口金１５にそれぞれ２本ずつ設けられた端子１５ａとを有する。本実施形態では、透光カバー１２の幅寸法Ｗ１は２８ｍｍであるが、それ以外の幅寸法Ｗ１の透光カバー１２を用いることも可能である。また、この光源１０は、透光カバー１２による各ＬＥＤ素子１１の光の拡散が少ないタイプのものであるが、各ＬＥＤ素子１１の光の拡散が多いタイプの透光カバーも本実施形態に適用可能である。また、本実施形態ではチップ型のＬＥＤ素子１０を用いているが、砲弾型やその他のタイプのＬＥＤ素子を用いることも可能である。ヒートシンク１４は例えばアルミニウム等の金属材料から成り、光源１０の外周面を構成する位置に光源１０の長手方向に延びる複数の放熱フィン１４ａを有する。この光源１０は、各口金１５の端子１５ａが室内の天井に設けられたソケット１００に差込まれることにより、室内の天井に取付けられる。また、光源１０が室内の天井に取付けられる際に、光源１０の各ＬＥＤ素子１１が真上を向くように取付けられる。即ち、光源１０の各ＬＥＤ素子１１の光軸が真上を向き、光源１０のヒートシンク１４が光源１０の下側に位置する。ソケット１００は蛍光灯を取り付けるための既存のソケットをそのまま使用することが可能であり、口金１５又は基板１３には交流電流を各ＬＥＤ１１に適した直流電流に変換する回路が設けられている。
【００６３】
反射板２０はアルミニウム等の金属板を折り曲げて形成され、第１の反射面２１と一対の第２の反射面２２とを有する。本実施形態では、各反射面２１，２２は中心線平均粗さで０．５μｍ以上となるように粗面状に、又は凹凸を有するように形成されている。例えば、各反射面２１，２２を構成するアルミニウム板の表面は、中心線平均粗さで０．５μｍ以上となるように、ショットブラスト等による粗面状処理及び陽極酸化被膜処理が行われている。他の例では、各反射面２１，２２を構成するアルミニウム板の表面に、エンボス加工等によって小さな凹部が複数形成されるとともに、アルミニウム表面に、反射率を向上するために、ラス状やプラスチック状の透光性材料がＰＶＤ等によりコーティングされる。反射板２０は室内の天井に取付けられているので、光源１０がソケット１００に取付けられた際に、その光源１０の上方に位置する。例えば、蛍光灯用の従来の反射板を取外し、その位置に反射板２０を取付けることが可能である。
【００６４】
第１の反射面２１はＸ方向に延在する一対の面２１ａから成る。各面２１ａは平面から成り、一対の面２１ａが交わる部分に光源１０のＬＥＤ素子１１側に向かって凸状の稜線２１ｂが形成されている。第１の反射面２１の一対の面２１ａは、図１及び２に示すように、光源１０の各ＬＥＤ素子１１の光軸に対して所定の光照射角度範囲α（本実施形態ではαは２５°）の光を受光するように配置され、稜線２１ｂの近傍で互いに角度β（本実施形態ではβは１０２°）をなす。尚、一対の面２１ａはＹ方向における前記所定の光照射角度範囲αの光を受光するように配置されていれば良い。また、本実施形態では、第１の反射面２１のＹ方向における幅寸法Ｗ２は３６ｍｍである。本実施形態では、複数のＬＥＤ素子１１が一列に並んでおり、光源１０のＹ方向における光照射範囲の中央はＬＥＤ素子１１の光軸と一致している。このため、第１の反射面２１の稜線２１ｂは光源１０のＹ方向における光照射範囲の中央に配置されている。また、第１の反射面２１の稜線２１ｂと光源１０の透光カバー１２との距離Ｄは第１反射面Ｗ２の幅寸法Ｗ２の１／３程度である。
【００６５】
各第２の反射面２２は第１の反射面２１に対してＹ方向の両外側に設けられ、当該一対の第２の反射面２２の間の空間に第１の反射面２１が配置されている。各第２の反射面２２は、第１の反射面２１に最も近い部分を構成する第１の面２２ａと、次に第１の反射面２１に近い部分を構成する第２の面２２ｂと、次に第１の反射面２１に近い部分を構成する第３の面２２ｃと、最も第１の反射面２１から遠い部分を構成する第４の面２２ｄとを有する。第１〜第４の面２２ａ〜２２ｄはそれぞれ平面から成り、Ｘ方向に延在している。第４の面２２ｄの外端にはフランジ部２３が設けられ、フランジ部２３は室内の天井への取付け用に設けられている。第１の面２２ａは第１の反射面２１の面２１ａと角度γ１（本実施形態ではγ１は１２０°）をなし、第２の面２２ｂは第１の面２２ａと角度γ２（本実施形態ではγ２は１７０°）をなし、第３の面２２ｃは第２の面２２ｂと角度γ３（本実施形態ではγ３は１７０°）をなし、第４の面２２ｄは第３の面２２ｃと角度γ４（本実施形態ではγ４は１７０°）をなす。また、本実施形態では、第１〜第４の面２２ａ〜２２ｄの幅寸法Ｌ１〜Ｌ４はそれぞれ１９ｍｍである。
【００６６】
以上のように、この照明システムは、照明装置１と、前記照明装置１、太陽光発電パネル５００および商用電源６００に接続された電力供給ユニット４００とを備え、前記電力供給ユニット４００が前記太陽光発電パネル５００および／又は前記商用電源６００からの電力を出力部４４０から出力するように構成され、前記照明装置１が前記電力供給ユニット４００の前記出力部４４０から出力される前記電力によって駆動されるように構成されているので、太陽光発電パネル５００からの出力が足らない場合は商用電源６００からの電力で照明装置１が確実に駆動される。
【００６７】
また、前記電力供給ユニット４００は、二次電池４３と、前記二次電池４３、前記太陽光発電パネル５００、前記商用電源６００および前記出力部４４０に接続され、前記太陽光発電パネル５００で生成された電力を前記出力部４４に供給可能であると共に、前記商用電源６００からの電力を前記出力部４４に供給可能である電力供給回路とを有し、前記電力供給ユニット４００の前記電力供給回路は、前記太陽光発電パネル５００および／又は前記商用電源６００から前記出力部４４０に供給される電力のうち前記出力部４４０から出力されない電力を前記二次電池４３０に供給するものであるので、太陽光発電パネル５００で発電された電力を無駄にすることがなく、省エネルギー化を図る上で極めて有利な構成である。
【００６８】
また、この照明装置１は、各ＬＥＤ素子１１の光軸に対して２５°の光照射角度範囲の光が第１の反射面２１の一対の面２１ａに照射され、当該一対の面２１ａが交わる部分には各ＬＥＤ素子１１側に向かって凸状の稜線２１ｂが形成され、第１の反射面２１の一対の面２１ａは稜線２１ｂの近傍で互いに１０２°の角度をなす。このため、各ＬＥＤ素子１１からの光が第１の反射面２１によって反射し、その反射した光の大部分は、図８に示すように、各ＬＥＤ素子１１の光軸に対して第１の反射面２１の傾斜角度に応じた角度（おおよそ７０°以上の角度）をなすように外側に向かって進むことになる。また、第１の反射面２１に対してＬＥＤ素子１１の光軸と交差する方向の両外側に設けられた一対の第２の反射面２２を有し、当該一対の第２の反射面２２の間の空間に第１の反射面２１が配置され、第１の反射面２１によって反射された光が第２の反射面２２によってさらに反射され、光源１０からの光のうち第１の反射面に照射されない光が第２の反射面によって反射される。
【００６９】
また、光軸が真上を向くように各ＬＥＤ素子１１が配置されるとともに、その上方に第１の反射面２１が配置され、第１の反射面２１の稜線２１ｂが下方に向かって凸状となっている。また、一対の第２の反射面２２の間の空間に第１の反射面２１が配置され、第１の反射面２１によって反射された光が第２の反射面２２によってさらに反射され、各ＬＥＤ素子１１からの光のうち第１の反射面２１に照射されない光が第２の反射面によって反射され、第２の反射面２２によって反射された光が室内の床等の照射位置に向かって照射される。
【００７０】
このように、光源１０の光照射範囲中央近傍の強い光、つまり本実施形態の場合は各ＬＥＤ素子１１の光軸周りの強い光が第１の反射面２１によって反射され、その反射した光の大部分は各ＬＥＤ素子１１の光軸に対して第１の反射面２１の傾斜角度に応じた角度をなすように外側に向かって進み、その光が第２の反射面２２によって床等の照射位置に照射される。このため、各ＬＥＤ素子１１の光が直接的に床等の照射位置に照射される場合と比較し、照射位置における照度のむらを低減することができる。
【００７１】
また、室内の天井において光軸が真上を向くように各ＬＥＤ素子１１が配置されても、光源１０の光照射範囲中央近傍の強い光、つまり本実施形態の場合は各ＬＥＤ素子１１から出る光のうち光軸周りの強い光が第１の反射面２１によって反射され、その反射した光が第２の反射面２２によって床等の照射位置に向かって反射され、光源１０から第２の反射面２２に直接照射される光も床等の照射位置に向かって反射する。このため、光源１０の各ＬＥＤ素子１１からの光を効率的に床等の照射位置に照射することができる。
【００７２】
また、本実施形態では、光源１０の各ＬＥＤ素子１１の光軸が上方を向き、光源１０において各ＬＥＤ素子１１の下側に各ＬＥＤ素子１１の温度上昇を防止するためのヒートシンク１４が配置されている。即ち、光源１０において反射板２０における第１の反射面２１側に各ＬＥＤ素子１１が配置され、第１の反射面２１から離れた側にヒートシンク１４が配置されているので、ヒートシンク１４に室内の空気が当たりやすくなり、放熱を効率的に行うことができる。
【００７３】
また、本実施形態では、各反射面２１，２２が中心線平均粗さで０．５μｍ以上となるように粗面状に、又はエンボス加工等によって凹凸を有するように形成されている。このため、光源１０が点光源であるＬＥＤ素子１１の集合であり、各ＬＥＤ素子１１は光の指向性が強いものであるが、各反射面２１，２２によって各ＬＥＤ素子１１からの光が拡散される。特に、各ＬＥＤ素子１１の光軸周りの強い光は第１の反射面２１及び第２の反射面２２の両方によって反射されて照射位置に照射されるので、照射位置の光のむらを低減する上で極めて有利である。
【００７４】
尚、各反射面２１，２２が例えば鏡面仕上げされて中心線平均粗さが０．１μｍ程度である場合でも、各ＬＥＤ素子１１からの光が各反射面２１，２２によって反射される際に、各ＬＥＤ素子１１からの光が少なからず各反射面２１，２２によって拡散される。このため、各ＬＥＤ素子１１の光が直接的に床等の照射位置に照射される場合と比較して各ＬＥＤ素子１１からの光が拡散され、照射位置における照度のむらを低減することができる。
【００７５】
本発明の第２実施形態の照明装置を図９及び１０を参照しながら説明する。本実施形態は、第１実施形態において反射板２０の第１の反射面２１の角度β、幅寸法Ｗ２、及び第２の反射面２２の角度γ１を変更したものであり、その他の構成は第１実施形態と同様である。なお、第２実施形態と、後述するさらに他の実施形態でも、電力供給ユニット４００の構成は第１実施形態と同様である。
【００７６】
本実施形態の第１の反射面２１の一対の面２１ａは、図９に示すように、光源１０の各ＬＥＤ１１の光軸に対して所定の光照射角度範囲α（本実施形態ではαは１５°）の光を受光するように配置され、稜線２１ｂの近傍で互いに角度β（本実施形態ではβは６０°）をなす。また、第１の反射面２１のＹ方向における幅寸法Ｗ２は２３．５ｍｍであり、第１の反射面２１の稜線２１ｂと光源１０の透光カバー１２との距離Ｄは透光カバーの幅寸法Ｗ１の１／３程度である。
【００７７】
第２の反射面２２の第１の面２２ａは第１の反射面２１の面２１ａと角度γ１（本実施形態ではγ１は１１０°）をなし、第２の面２２ｂは第１の面２２ａと角度γ２（本実施形態ではγ２は１７０°）をなし、第３の面２２ｃは第２の面２２ｂと角度γ３（本実施形態ではγ３は１７０°）をなし、第４の面２２ｄは第３の面２２ｃと角度γ４（本実施形態ではγ４は１７０°）をなす。また、本実施形態では、第１〜第４の面２２ａ〜２２ｄの幅寸法Ｌ１〜Ｌ４はそれぞれ１９ｍｍである。
【００７８】
このように構成されている場合でも、各ＬＥＤ素子１１の光軸に対して１５°の光照射角度範囲の光が第１の反射面２１によって反射し、その反射した光の大部分が、図１０に示すように、各ＬＥＤ素子１１の光軸に対して第１の反射面２１の傾斜角度に応じた角度（おおよそ４５°以上の角度）をなすように外側に向かって進むことになる。このため、本実施形態の照明装置も第１実施形態の照明装置と同様の作用効果を奏する。
【００７９】
本発明の第３実施形態の照明装置を図１１及び１２を参照しながら説明する。本実施形態は、第１実施形態において反射板２０の第１の反射面２１の角度β及び幅寸法Ｗ２を変更したものであり、その他の構成は第１実施形態と同様である。
【００８０】
本実施形態の第１の反射面２１の一対の面２１ａは、図１１に示すように、光源１０の各ＬＥＤ１１の光軸に対して所定の光照射角度範囲α（本実施形態ではαは３０°）の光を受光するように配置され、稜線２１ｂの近傍で互いに角度β（本実施形態ではβは１２０°）をなす。また、第１の反射面２１のＹ方向における幅寸法Ｗ２は４０．５ｍｍであり、第１の反射面２１の稜線２１ｂと光源１０の透光カバー１２との距離Ｄは透光カバーの幅寸法Ｗ１の１／３程度である。
【００８１】
第２の反射面２２の第１の面２２ａは第１の反射面２１の面２１ａと角度γ１（本実施形態ではγ１は１２０°）をなし、第２の面２２ｂは第１の面２２ａと角度γ２（本実施形態ではγ２は１７０°）をなし、第３の面２２ｃは第２の面２２ｂと角度γ３（本実施形態ではγ３は１７０°）をなし、第４の面２２ｄは第３の面２２ｃと角度γ４（本実施形態ではγ４は１７０°）をなす。また、本実施形態では、第１〜第４の面２２ａ〜２２ｄの幅寸法Ｌ１〜Ｌ４はそれぞれ１９ｍｍである。
【００８２】
このように構成されている場合でも、各ＬＥＤ素子１１の光軸に対して３０°の光照射角度範囲の光が第１の反射面２１によって反射し、その反射した光の大部分が、図１２に示すように、各ＬＥＤ素子１１の光軸に対して第１の反射面２１の傾斜角度に応じた角度（おおよそ６５°以上の角度）をなすように外側に向かって進むことになる。このため、本実施形態の照明装置も第１実施形態の照明装置と同様の作用効果を奏する。
【００８３】
本発明の第４実施形態の照明装置を図１３及び１４を参照しながら説明する。本実施形態は、第１実施形態において反射板２０の第２の反射面２２の仕様を変更したものであり、その他の構成は第１実施形態と同様である。
【００８４】
本実施形態の各第２の反射面２２は第１の反射面２１に対してＹ方向の両外側に設けられ、該一対の第２の反射面２２の間の空間に第１の反射面２１が配置されている。各第２の反射面２２はＸ方向に延びる円筒の内周面の周方向の一部によって形成されている。各第１の面２２ａは各第２の反射面２２とそれぞれ角度γ１（本実施形態ではγ１は１３０°）をなす。
【００８５】
以上のように構成された照明装置も、各ＬＥＤ素子１１の光軸に対して２５°の光照射角度範囲の光が第１の反射面２１によって反射し、その反射した光の大部分が、図１４に示すように、各ＬＥＤ素子１１の光軸に対して第１の反射面２１の傾斜角度に応じた角度（おおよそ７０°以上の角度）をなすように外側に向かって進むことになる。また、第１の反射面２１に対してＬＥＤ素子１１の光軸と交差する方向の両外側に設けられた一対の第２の反射面２２を有し、該一対の第２の反射面２２の間の空間に第１の反射面２１が配置され、第１の反射面２１によって反射された光が第２の反射面によってさらに反射され、光源１０からの光のうち第１の反射面に照射されない光が第２の反射面によって反射される。このため、本実施形態の照明装置も第１実施形態の照明装置と同様の作用効果を奏する。
【００８６】
本発明の第５実施形態の照明装置を図１５及び１６を参照しながら説明する。本実施形態は、第１実施形態において反射板２０の第１の反射面２１の仕様及び第２の反射面２２の角度γ１を変更したものであり、その他の構成は第１実施形態と同様である。
【００８７】
本実施形態の第１の反射面２１の一対の面２１ａは、図１１に示すように、光源１０の各ＬＥＤ１１の光軸に対して所定の光照射角度範囲α（本実施形態ではαは２３°）の光を受光するように配置され、稜線２１ｂの近傍で互いに角度β（本実施形態ではβは１０２°）をなす。各面２１ａは、Ｘ方向に延在する幅方向内側面ＩＳと、幅方向内側面ＩＳに対してＹ方向の外側に設けられてＸ方向に延在する幅方向外側面ＯＳとを有し、各幅方向内側面ＩＳが交わる部分に前記稜線２１ｂが形成されている。また、幅方向外側面ＯＳは幅方向内側面ＩＳと所定の角度δ（本実施形態ではδは１９０°）をなす。また、第１の反射面２１のＹ方向における幅寸法Ｗ２は３１ｍｍであり、第１の反射面２１の稜線２１ｂと光源１０の透光カバー１２との距離Ｄは透光カバーの幅寸法Ｗ１の１／３程度である。
【００８８】
第２の反射面２２の第１の面２２ａは第１の反射面２１の面２１ａと角度γ１（本実施形態ではγ１は１１０°）をなす。
【００８９】
このように構成されている場合でも、各ＬＥＤ素子１１の光軸に対して２３°の光照射角度範囲の光が第１の反射面２１によって反射し、その反射した光の大部分が、図１６に示すように、各ＬＥＤ素子１１の光軸に対して第１の反射面２１の傾斜角度に応じた角度（おおよそ５０°以上の角度）をなすように外側に向かって進むことになる。このため、本実施形態の照明装置も第１実施形態の照明装置と同様の作用効果を奏する。
【００９０】
本発明の第６実施形態の照明装置を図１７及び１８を参照しながら説明する。本実施形態は、第１実施形態において反射板２０の第２の反射面２２の仕様を変更したものであり、その他の構成は第１実施形態と同様である。
【００９１】
本実施形態の各第２の反射面２２は第１の反射面２１に対してＹ方向の両外側に設けられ、該一対の第２の反射面２２の間の空間に第１の反射面２１が配置されている。各第２の反射面２２は、第１の反射面２１に最も近い部分を構成する第１の面２２ａと、次に第１の反射面２１に近い部分を構成する第２の面２２ｂとを有する。第１及び第２の面２２ａ，２２ｂはそれぞれ平面からなり、Ｘ方向に延在している。第１の面２２ａは第１の反射面２１の面２１ａと角度γ１（本実施形態ではγ１は１１５°）をなし、第２の面２２ｂは第１の面２２ａと角度γ２（本実施形態ではγ２は１６０°）をなす。また、本実施形態では、第１及び第２の面２２ａ，２２ｂの幅寸法Ｌ１及びＬ２はそれぞれ３８ｍｍである。
【００９２】
以上のように構成された照明装置も、各ＬＥＤ素子１１の光軸に対して２５°の光照射角度範囲の光が第１の反射面２１によって反射し、その反射した光の大部分が、図１８に示すように、各ＬＥＤ素子１１の光軸に対して第１の反射面２１の傾斜角度に応じた角度（おおよそ７０°以上の角度）をなすように外側に向かって進むことになる。また、第１の反射面２１に対してＬＥＤ素子１１の光軸と交差する方向の両外側に設けられた一対の第２の反射面２２を有し、該一対の第２の反射面２２の間の空間に第１の反射面２１が配置され、第１の反射面２１によって反射された光が第２の反射面によってさらに反射され、光源１０からの光のうち第１の反射面に照射されない光が第２の反射面によって反射される。このため、本実施形態の照明装置も第１実施形態の照明装置と同様の作用効果を奏する。
【００９３】
本発明の第７実施形態の照明装置を図１９及び２０を参照しながら説明する。本実施形態は、第１実施形態において反射板２０の第２の反射面２２の仕様を変更したものであり、その他の構成は第１実施形態と同様である。
【００９４】
本実施形態の各第２の反射面２２は第１の反射面２１に対してＹ方向の両外側に設けられ、該一対の第２の反射面２２の間の空間に第１の反射面２１が配置されている。各第２の反射面２２は、第１の反射面２１に最も近い部分を構成する第１の面２２ａを有し、第１及の面２２ａは平面からなるとともに、Ｘ方向に延在している。第１の面２２ａは第１の反射面２１の面２１ａと角度γ１（本実施形態ではγ１は１１５°）をなす。また、本実施形態では、第１の面２２ａの幅寸法Ｌ１は７０ｍｍである。
【００９５】
以上のように構成された照明装置も、各ＬＥＤ素子１１の光軸に対して２５°の光照射角度範囲の光が第１の反射面２１によって反射し、その反射した光の大部分が、図２０に示すように、各ＬＥＤ素子１１の光軸に対して第１の反射面２１の傾斜角度に応じた角度（おおよそ７０°以上の角度）をなすように外側に向かって進むことになる。また、第１の反射面２１に対してＬＥＤ素子１１の光軸と交差する方向の両外側に設けられた一対の第２の反射面２２を有し、該一対の第２の反射面２２の間の空間に第１の反射面２１が配置され、第１の反射面２１によって反射された光が第２の反射面によってさらに反射され、光源１０からの光のうち第１の反射面に照射されない光が第２の反射面によって反射される。このため、本実施形態の照明装置も第１実施形態の照明装置と同様の作用効果を奏する。
【００９６】
図２１は実験結果を示すものである。この実験結果は、第１〜第７実施形態の照明装置を製作し、また、第１及び第２の実施形態において角度βや幅寸法Ｗ２や距離Ｄを変更した他の照明装置を製作し、照射位置である床における照度及び照度のむらを評価したものである。図２１における実験例１〜７は第１〜第７実施形態にそれぞれ対応し、実験例８は第１実施形態において幅寸法Ｗ２を２９ｍｍとして角度αを２０°としたものであり、実験例９は第１実施形態において幅寸法Ｗ２を２１．５ｍｍとして角度αを１５°としたものであり、実験例１０は第１実施形態において幅寸法Ｗ２を１４．５ｍｍとして角度αを１０°としたものであり、実験例１１は第１実施形態において幅寸法Ｗ２を７．２ｍｍとして角度αを５°としたものである。また、図２１における実験例１２は第２実施形態において距離Ｄを幅寸法Ｗ２と等しくしたものである。また、図２１における比較例１は、第１実施形態において、各ＬＥＤ素子１０の光軸が真下を向き、光源１０からの光のほとんどが床に直接照射されるようにしたものであり、比較例２は、図２３に示すように、第１の反射面２１の代わりに平面である反射面を設けたものである。
【００９７】
この実験では、図２２に示すように、照明装置を２．５ｍの高さの天井に１つだけ取付け、照明装置の真下の床である第１位置Ｐ１と、第１位置Ｐ１からＹ方向に１ｍだけ離れた第２位置Ｐ２と、第２位置Ｐ２からＹ方向に１ｍだけ離れた第３位置Ｐ３において照度をそれぞれ測定し、Ｐ１〜Ｐ３の平均照度を求めるとともに、Ｐ１とＰ２とＰ３との間の最大の差を照度バラツキとして求めた。尚、実験例１〜１２及び比較例１，２において、光源１０等のその他の条件は互いに同一である。
【００９８】
図２１の実験例１〜１２と比較例２との比較から、光源１０を各ＬＥＤ１１が上向きになるように設置した場合、反射板２０に第１の反射面２１を設けることにより、床面の照度が高くなることが確認された。また、角度αが１０°以上であれば、比較例１のように光源１０の各ＬＥＤ素子１１を下向きに設置して各ＬＥＤ素子１１の光を直接的に床に照射する場合と比較して、平均照度が高くなり、且つ、照度バラツキが小さかった。
【００９９】
一方、角度βが６０°及び１２０°の実験例２及び３と比較し、角度αが１０２°である実験例１，８，９，１０，１１は、照度バラツキが小さかった。これにより、角度βは、７０°以上１１５°以下の範囲であることが照射位置における光のむらを低減する上でより好ましく、９０°以上１１０°以下の範囲であることが照射位置における光のむらを低減する上でさらに好ましいと考えられる。
【０１００】
実験例４と比較し、各第２の反射面２２が複数の平面又は単一の平面から成る実験例１，６，７の方が、照度バラツキが小さかった。これは、各ＬＥＤ素子１１から光が放射状に照射され、その光が平面である第１の反射面２１によって反射されているので、第２の反射面２２が凹曲面の場合、各ＬＥＤ素子１１や第１の反射面２１からの光が第２の反射面２２によって集光される傾向を有することが理由の一つであると考えられる。尚、実験例４でも比較例１に対して平均照度が高く、照度バラツキが小さいので、第１実施形態と同様の作用効果は認められる。
【０１０１】
また、実験例１〜１２の結果では、第１の反射面２１の各面２１ａと各第２の反射面２２における第１の反射面２１の近傍とのなす角度γ１が１１０°〜１３０°であり、この範囲で前述の作用効果が確認されている。この角度γ１は光源１０や第１の反射面２１や照射範囲に応じて適宜変更可能であるが、実験例１〜１２の結果から、本照明装置を室内照明用に天井に設ける場合は、角度γ１は１００°以上１４０°以下であることが好ましく、１１０°以上１３０°以下であることがより好ましいと考えられる。
【０１０２】
また、実験例１２の結果や、実験例１〜１１の結果から、距離Ｄが幅寸法Ｗ２に対して１倍以下であれば、第１実施形態と同様の作用効果が効果的に発揮されることが確認された。尚、光源１０や反射板２０や照射範囲によっては、距離Ｄが幅寸法Ｗ２に対して１倍以上であっても第１実施形態と同様の作用効果を奏する。また、照明装置を小型化する上では、距離Ｄは小さい方が好ましい。
【０１０３】
また、実験例１〜３，５，６，８〜１２の結果から、各第２の反射面２２が、互いにＹ方向に並設され、且つ、互いに所定の角度γ２〜γ４をなして連続する複数の平面から構成することが、照射位置における光のむらを低減する上で有利であることが確認された。実験例１〜３，５，６，８〜１２では角度γ２〜γ４は１６０°〜１７０°であり、この範囲で前述の作用効果が確認されている。この角度γ１は光源１０や第１の反射面２１や照射範囲に応じて適宜変更可能であるが、実験例１〜３，５，６，８〜１２の結果から、角度γ１は１５５°以上であることが好ましく、１６０°以上１７５°以下であることがより好ましいと考えられる。
【０１０４】
前記各実施形態では、稜線２１ｂが線状にあらわれるものを示したが、図２４に示すように、稜線２１ｂが幅寸法Ｗ３を有する面状にあらわれる場合でも、幅寸法Ｗ３（一方の面２１ａと他方の面２１ａとの距離）が幅寸法Ｗ２と比較して十分に小さい場合には、第１実施形態と同様の作用効果を奏する。具体的には、幅寸法Ｗ３は幅寸法Ｗ２の１／５以下であることが好ましく、１／１０以下であることがより好ましく、１／２０以下であることがさらに好ましい。即ち、幅寸法Ｗ３は小さければ小さい方が良い。また、図２４では稜線２１ｂは平面であるが、凸曲面や凹曲面とすることも可能である。
【０１０５】
前記各実施形態では、稜線２１ｂと各ＬＥＤ素子１１の光軸とが一致しているものを示した。これに対し、図２５に示すように、稜線２１ｂと各ＬＥＤ素子１１の光軸とをＹ方向にずらすことも可能である。この場合でも、各ＬＥＤ素子１１の光軸に対して所定の照射角度範囲αの光が第１の反射面２１によって反射するので、角度αが図２１の実験結果に沿ったものであれば、前述と同様の作用効果を奏する。また、図２５のように、稜線２１ｂと各ＬＥＤ素子１１の光軸とを積極的にＹ方向にずらすことにより、各ＬＥＤ素子１１の光軸が配置される側の第２の反射面２２の光の反射量を多くすることも可能である。
【０１０６】
前記各実施形態では、複数のＬＥＤ素子１１がＸ方向に１列に並設された光源１０を用いるものを示した。これに対し、図２６に示すように、複数のＬＥＤ素子１１をＸ方向に複数列に並設することも可能である。この場合でも、図２６に示すように、各列のＬＥＤ素子１１の光軸に対して所定の照射角度範囲αの光が第１の反射面２１によって受光されるように構成され、角度αが図２１の実験結果に沿ったものであれば、前述と同様の作用効果を奏し得る。又は、各列のうち少なくとも１つの列のＬＥＤ素子１１の光軸に対して所定の照射角度範囲αの光が第１の反射面２１によって受光されるように構成され、その角度αが図２１の実験結果に沿ったものであれば、前述と同様の作用効果を奏し得る。
【０１０７】
また、図２７に示すように、光源１０において、各列のＬＥＤ素子１１の光軸が互いに異なる方向を向くように構成することも可能である。この場合でも、光源１０の光照射角度範囲ζ１の中央に対して所定の光照射角度範囲ζ２の光が第1の反射面の一対の面によって受光されるようになっていれば、前述と同様の作用効果を奏する。また、角度ζ２の範囲についても、前記各実施形態の角度αと同様の設定とすることにより、前記各実施形態と同様の作用効果を奏する。尚、前記角度ζ１及びζ２の基準は、図２７に示すように、例えば各列の中央の位置ＣＰとすることができる。
【０１０８】
前記各実施形態では、光源１０において各ＬＥＤ素子１１が直線上に並設されたものを示したが、図２８に示すように、光源１０において各ＬＥＤ素子１１が円周方向に並設されている場合であっても、前述と同様の構成を採用することが可能である。この場合、前記Ｘ方向は円周方向となり、前記Ｙ方向は当該円周の半径方向となる。そして、例えば光源１０はリング状となり、反射板２０も光源１０に沿ってリング状となり、この場合でも前記各実施形態と同様の作用効果を奏する。
【０１０９】
前記各実施形態では、第１の反射面２１の各面２１ａが完全に平面から成るものを示したが、図２９に示すように、曲率半径が幅寸法Ｗ２の２倍以上、又は深さ寸法ＤＰ又は突出寸法が１ｍｍ以下の曲面によって各面２１ａが構成されている場合、各面２１ａは平面であるものとする。理由としては、このように若干の湾曲を有する曲面を用いる場合であっても、角度β等が前記各実施形態と同様に設定されていることにより、前記各実施形態と同様の作用効果を奏するからである。
【０１１０】
また、第２の反射面２２の各面２２ａ〜２２ｄについても、曲率半径が幅寸法Ｗ２の２倍以上、又は深さ寸法ＤＰ又は突出寸法が１ｍｍ以下の曲面によって構成されている場合、各面２２ａ〜２２ｄは平面であるものとする。
【０１１１】
本実施形態の第８実施形態の照明装置を図３１〜３８を参照しながら説明する。本実施形態では、図３１及び３３に示すように、蛍光管３１の延設方向をＸ方向とし、蛍光管３１の延設方向と直交し、且つ、以下説明する蛍光ランプ３０の光軸面ＬＳと直交する方向をＹ方向とする。
【０１１２】
この照明装置は、図３１〜３７に示すように、蛍光ランプ３０と反射板２０とを備えている。この蛍光ランプ３０は、図３１に示すように、蛍光管３１の延設方向と直交する方向（Ｙ方向）の所定の光照射角度範囲ζ１に光を照射するように構成されている。本実施形態では、前記光照射角度範囲ζ１の中央面（Ｘ方向に延在する面）を蛍光ランプ３０の光軸面ＬＳと称する。この蛍光ランプ３０は、後述するように、屋内の天井に取付けられる際に前記光軸面ＬＳが真上を向くように取付けられる。
【０１１３】
蛍光ランプ３０には、例えば特開２０１０−２５１２６１号公報や特開２０１０−２４４８３５号公報や特開２０１０−２１１９６１号公報等に開示されている冷陰極管ランプを用いることが可能である。本実施形態では、所定方向（Ｘ方向）に延設された冷陰極管（ＣＣＦＬ管）から成る複数（本実施形態では２本）の蛍光管３１と、各蛍光管３１にそれぞれ沿うように延設された複数（本実施形態では２枚）のランプ内反射板４０と、合成プラスチックやガラス等の公知の透光性材料から成り蛍光管３１の延設方向に延在している透光カバー３２と、ランプ内反射板４０に沿って延設されたケース３３と、蛍光ランプ３０の長手方向の両端にそれぞれ設けられた口金３４と、各口金３４にそれぞれ２本ずつ設けられた端子３４ａとを有する。各ランプ内反射板４０はケース３３に取付具（図示せず）によって取付けられ、各蛍光管３１もケース３３に取付具（図示せず）によって取付けられている。また、各蛍光管３１はそれぞれランプ内反射板４０と透光カバー３２との間に配置されている。本実施形態では透光カバー３２の幅寸法Ｗ１は２８ｍｍであるが、それ以外の幅寸法Ｗ１の透光カバー３２を用いることも可能である。また、この蛍光ランプ３０は透光カバー３２による各蛍光管３１の光の拡散が少ないタイプのものであるが、透光カバー３３による各蛍光管３１の光の拡散が多いタイプのものも使用可能である。また、本実施形態では蛍光管３１として冷陰極管を用いているが、Ｔ４蛍光管やＴ５蛍光管等の他の蛍光管を用いることも可能である。尚、本実施形態では２本の蛍光管３１が別体で形成されているものを示したが、２本の蛍光管３１をその長さ方向の一端で例えばＵ字形状の蛍光管によって連続するように形成することも可能である。この場合でも、本実施形態では、２本の蛍光管３１がそれぞれＸ方向に延設されているものとする。
【０１１４】
各蛍光管３１は直径ｄ１が数ｍｍ（本実施形態では５ｍｍ）であり、互いに略平行となるように配置されている。ケース３３はアルミニウム等の金属材料から成ると共に各蛍光管３１の延設方向に延びる筒状部材であり、内部に各蛍光管３１に電力を供給するためのインバータやＰＦＣ（Power Factor Controller，図示せず）が設けられている。
【０１１５】
各ランプ内反射板４０はアルミニウム等の金属板を折り曲げて形成され、第１の反射面４１と第２の反射面４２とを有する。本実施形態では、各反射面４１，４２は中心線平均粗さで０．５μｍ以上となるように粗面状に、又は凹凸を有するように形成されている。例えば、各反射面４１，４２を構成するアルミニウム板の表面は、中心線平均粗さで０．５μｍ以上となるように、ショットブラストなどによる粗面状処理及び陽極酸化処理が行われている。他の例では、各反射面４１，４２を構成するアルミニウム板の表面に、エンボス加工などによって小さな凹部が複数形成されるとともに、アルミニウム表面に、反射率を向上するために、ガラス状やプラスチック状の透光性材料がＰＶＤ等によりコーティングされる。
【０１１６】
第１の反射面４１はそれぞれＸ方向に延在する一対の面４１ａから成る。各面４１ａは平面から成り、一対の面４１ａが交わる部分に蛍光ランプ３０側に向かって凸状の稜線４１ｂが形成されている。各蛍光管３１はその延設方向と直交する方向において３６０°の光照射角度範囲に光を照射するものであり、各ランプ内反射板４０はそれぞれ対応する蛍光管３１から照射される光のうち所定の光照射角度範囲δ１の光を受光するものである。
【０１１７】
また、第１の反射面４１は、蛍光管３１から各ランプ内反射板４０に照射される前記所定の光照射角度範囲δ１の中央面ＣＳに対して角度δ２（本実施形態ではδ２は１７°）の範囲の光を受光するように配置されている。また、第１の反射面４１の各面４１ａは稜線４１ｂの近傍で互いに角度ε（本実施形態ではεは１００°）をなす。また、本実施形態では、第１の反射面４１のＹ方向における幅寸法Ｗ３は３．５ｍｍであり、第１の反射面４１の稜線４１ｂと蛍光管３１との距離Ｄ１は蛍光管３１の直径ｄ１の１／２程度である。
【０１１８】
各第２の反射面４２は第１の反射面４１に対してＹ方向の両外側に設けられ、当該一対の第２の反射面４２の間の空間に第１の反射面４１が配置されている。各第２の反射面４２は、第１の反射面４１に最も近い部分を構成する第１の面４２ａと、次に第１の反射面４１に近い部分を構成する第２の面４２ｂと、次に第１の反射面４１に近い部分を構成する第３の面４２ｃと、最も第１の反射面４１から遠い部分を構成する第４の面４２ｄとを有する。第１〜第４の面４２ａ〜４２ｄはそれぞれ平面から成り、Ｘ方向に延在している。第１の面４２ａは第１の反射面４１の面４１ａと角度γ５（本実施形態ではγ５は１２０°）をなし、第２の面４２ｂは第１の面４２ａと角度γ６（本実施形態ではγ６は１７０°）をなし、第３の面４２ｃは第２の面４２ｂと角度γ７（本実施形態ではγ７は１７０°）をなし、第４の面４２ｄは第３の面４２ｃと角度γ８（本実施形態ではγ８は１７０°）をなす。また、本実施形態では、第１〜第４の面４２ａ〜４２ｄの幅寸法Ｌ５〜Ｌ８はそれぞれ２ｍｍである。
【０１１９】
この蛍光ランプ３０は、第１実施形態と同様に、各口金３４の端子３４ａが室内の天井に設けられたソケット１００に差込まれることにより室内の天井に取付けられる。ソケット１００は蛍光灯を取り付けるための既存のソケットをそのまま使用することが可能である。
【０１２０】
以上のように、この蛍光ランプ３０は、蛍光管３１からランプ内反射板４０に照射される光のうち中心面ＣＳに対して１７°以内の光が第1の反射面４１の一対の面４１ａに照射され、当該一対の面４１ａが交わる部分には蛍光管３１側に向かって凸状の稜線４１ｂが形成され（図３６参照）、第１の反射面４１の一対の面４１ａは稜線４１ｂの近傍で互いに１００°の角度をなす。このため、各蛍光管３１からの光が第１の反射面４１によって反射し、その反射した光の大部分は、図３６に示すように、中心面ＣＳに対して第１の反射面４１の傾斜角度に応じた角度（おおよそ７０°以上の角度）をなすように外側に向かって進むことになる。また、第１の反射面４１に対してＹ方向の両側に設けられた一対の第２の反射面４２を有し、当該一対の第２の反射面４２の間の空間に第１の反射面４１が配置され、第１の反射面４１によって反射された光が第２の反射面４２によってさらに反射され、蛍光管３１から第２の反射面４２に直接照射される光も第２の反射面４２によって反射される。このような構成により、各蛍光管３０からの光が主に上方に向かって照射され、蛍光ランプ３０の光軸面ＬＳが前述のように真上を向くことになる。また、このような構成により、蛍光管３１からの光が効率的に上方に向かって照射される。
【０１２１】
一方、反射板２０は第１実施形態と同一であり、第１実施形態と同様に室内の天井に取付けられる。具体的には、蛍光ランプ３０がソケット１００に取付けられた際に、その蛍光ランプ３０の上方に位置するように、反射板２０は室内の天井に取付けられる。
【０１２２】
反射板２０の第１の反射面２１の一対の面２１ａは、図３１及び３２に示すように、蛍光ランプ３０の光軸面ＬＳに対して所定の光照射角度範囲ζ２（本実施形態ではζ２は２８°）の光を受光するように配置され、稜線２１ｂの近傍で互いに角度β（本実施形態ではβは１０２°）をなす。本実施形態では、第１の反射面２１の稜線２１ｂと蛍光ランプ３０の透光カバー３２との距離Ｄは透光カバー３２の幅寸法Ｗ２の１／３程度である。
【０１２３】
以上のように、この照明装置は、蛍光ランプ３０の光軸面ＬＳに対して２８°の光照射角度範囲の光が第１の反射面２１の一対の面２１ａに照射され、当該一対の面２１ａが交わる部分には蛍光ランプ３０に向かって凸状の稜線２１ｂが形成され、第１の反射面２１の一対の面２１ａは稜線２１ｂの近傍で互いに１０２°の角度をなす。このため、蛍光ランプ３０の光軸面ＬＳに対して２８°の光照射角度範囲の光が第１の反射面２１によって反射し、その反射した光の大部分は、図３７に示すように、蛍光ランプ３０の光軸面ＬＳに対して第１の反射面２１の傾斜角度に応じた角度（おおよそ７０°以上の角度）をなすように外側に向かって進むことになる。また、第１の反射面２１に対して蛍光ランプ３０の光軸面ＬＳと交差する方向の両外側に設けられた一対の第２の反射面２２を有し、当該一対の第２の反射面２２の間の空間に第１の反射面２１が配置されている。このため、第１の反射面２１によって反射された光が第２の反射面２２によって反射され、一方、蛍光ランプ３０から直接照射される光も第２の反射面２２によって反射される。
【０１２４】
このように、本実施形態によれば、光軸面ＬＳが真上を向くように蛍光ランプ３０が配置されるとともに、その上方に第１の反射面２１が配置され、第１の反射面２１の稜線２１ｂが下方に向かって凸状となっている。また、一対の第２の反射面２２の間の空間に第１の反射面２１が配置されている。このため、第１の反射面２１によって反射された光が第２の反射面２２によってさらに反射され、一方、蛍光ランプ３０から直接照射される光も第２の反射面２２によって反射され、第２の反射面２２によって反射された光が室内の床等の照射位置に向かって照射される。したがって、本実施形態によれば、蛍光ランプ３０からの光を効率的に床等の照射位置に照射することができる。
【０１２５】
また、本実施形態では、各反射面２１，２２が中心線平均粗さで０．５μｍ以上となるように粗面状に、又はエンボス加工等によって凹凸を有するように形成されている。このため、蛍光ランプ３０は２本の蛍光管３１から成り、２本の線光源から光が放射されることになるが、各反射面２１，２２によって各蛍光管３１からの光が拡散される。特に、蛍光ランプ３０の光軸面ＬＳ周りの光は第１の反射面２１及び第２の反射面２２の両方によって反射されて照射位置に照射されるので、照射位置の光のむらを低減する上で極めて有利である。
【０１２６】
尚、各反射面２１，２２が例えば鏡面仕上げされて中心線平均粗さが０．１μｍ程度である場合でも、蛍光ランプ３０からの光が各反射面２１，２２によって反射される際に、蛍光ランプ３０からの光が少なからず各反射面２１，２２によって拡散される。このため、蛍光ランプ３０の光が直接的に床等の照射位置に照射される場合と比較して蛍光ランプ３０からの光が拡散され、照射位置における照度のむらを低減することができる。
【０１２７】
図３８は実験結果を示すものであり、図２１の場合と同様の方法で同様の評価を行った結果を示すものである。この実験結果は、第８〜第１４実施形態の照明装置を製作し、また、第８の実施形態において幅寸法Ｗ２や距離Ｄを変更した他の照明装置を製作し、照射位置である床における照度及び照度のむらを評価したものである。第９実施形態の照明装置は、第８実施形態において反射板２０を前記第２実施形態（図９及び１０参照）の反射板２０に変更したものであり、第１０実施形態の照明装置は、第８実施形態において反射板２０を前記第３実施形態（図１１及び１２参照）の反射板２０に変更したものであり、第１１実施形態の照明装置は、第８実施形態において反射板２０を前記第４実施形態（図１３及び１４参照）の反射板２０に変更したものであり、第１２実施形態の照明装置は、第８実施形態において反射板２０を前記第５実施形態（図１５及び１６参照）の反射板２０に変更したものであり、第１３実施形態の照明装置は、第８実施形態において反射板２０を前記第６実施形態（図１７及び１８参照）の反射板２０に変更したものであり、第１４実施形態の照明装置は、第８実施形態において反射板２０を前記第７実施形態（図１９及び２０参照）の反射板２０に変更したものである。第９〜第１４実施形態では、第８実施形態と同様に、蛍光ランプ３０の光軸面ＬＳは真上を向いており、当該光軸面ＬＳの位置は反射板２０の第１の反射面２１の稜線２１ｂの位置と一致しており、反射板２０の第１の反射面２１の稜線２１ｂと蛍光管３１との距離Ｄは幅Ｗ２の１／３程度である。
【０１２８】
図３８における実験例１３〜１９は第８〜第１４実施形態にそれぞれ対応しており、実験例２０は第８実施形態において幅寸法Ｗ２を２５ｍｍとして角度ζ２を２０°としたものであり、実験例２１は第８実施形態において幅寸法Ｗ２を１８ｍｍとして角度ζ２を１５°としたものであり、実験例２２は第８実施形態において幅寸法Ｗ２を１２ｍｍとして角度ζ２を１０°としたものであり、実験例２３は第８実施形態において幅寸法Ｗ２を６ｍｍとして角度ζ２を５°としたものである。また、図３８における実験例２４は第９実施形態において距離Ｄを幅寸法Ｗ２と等しくしたものである。
【０１２９】
また、図３８における比較例３は、第８実施形態において、蛍光ランプ３０の光軸面ＬＳが真下を向き、蛍光ランプ３０からの光のほとんどが床に直接照射されるようにしたものであり、比較例４は、図３９に示すように、第１の反射面２１の代わりに平面である反射面を設けたものである。
【０１３０】
尚、実験例１３〜２４において、蛍光ランプ３０等のその他の条件は互いに同一である。
【０１３１】
図３８の実験例１３〜２４と比較例４との比較から、蛍光ランプ３０を光軸面ＬＳが上向きになるように設置した場合、反射板２０に第１の反射面２１を設けることにより、床面の照度が高くなることが確認された。また、角度ζ２が５°以上、より好ましくは１０°以上であれば、実験例１３〜２４と比較例３との比較から、蛍光ランプ３０を光軸面ＬＳが真上を向くように設置して反射板２０に第１の反射面２１を設ける方が、比較例３のように蛍光ランプ３０を光軸面ＬＳが下を向くように取付ける場合と比較し、平均照度が高くなり、且つ、照度バラツキが小さかった。
【０１３２】
また、実験例１６と比較し、各第２の反射面２２が複数の平面又は単一の平面から成る実験例１３，１８，１９の方が、照度バラツキが小さかった。これは、第２の反射面２２が凹曲面の場合、蛍光ランプ３０からの光が第２の反射面２２によって集光される傾向を有することが理由の一つであると考えられる。尚、実験例１６でも比較例４に対して平均照度が高く、照度バラツキが小さいので、第８実施形態と同様の作用効果は認められる。
【０１３３】
また、実験例１３〜２４では、第１の反射面２１の各面２１ａと各第２の反射面２２における第１の反射面２１の近傍とのなす角度γ１が１１０°〜１３０°であり、この範囲で前述の作用効果が確認されている。この角度γ１は蛍光ランプ３０や第１の反射面２１や照射範囲に応じて適宜変更可能であるが、本照明装置を室内照明用に設ける場合は、角度γ１は１００°以上１４０°以下であることが好ましく、１１０°以上１３０°以下であることがより好ましいと考えられる。
【０１３４】
また、実験例２４の結果や、実験例１３〜２３の結果から、距離Ｄが幅寸法Ｗ２に対して１倍以下であれば、第８実施形態と同様の作用効果が効果的に発揮されることが確認された。尚、傾向ランプ３０や反射板２０や照射範囲によっては、距離Ｄが幅寸法Ｗ２に対して１倍以上であっても第８実施形態と同様の作用効果を奏する。また、照明装置を小型化する上では、距離Ｄは小さい方が好ましい。
【０１３５】
また、実験例１３〜１５，１７，１８，２０〜２４の結果から、各第２の反射面２２が、互いにＹ方向に並設され、且つ、互いに所定の角度γ２〜γ４をなして連続する複数の平面から構成することが、照射位置における光のむらを低減する上で有利であることが確認された。実験例１３〜１５，１７，１８，２０〜２４では角度γ２〜γ４は１６０°〜１７０°であり、この範囲で前述の作用効果が確認されている。この角度γ１は傾向ランプ３０や第１の反射面２１や照射範囲に応じて適宜変更可能であるが、実験例１３〜１５，１７，１８，２０〜２４の結果から、角度γ１は１５５°以上であることが好ましく、１６０°以上１７５°以下であることがより好ましいと考えられる。
【０１３６】
前記第８〜第１４実施形態では、稜線２１ｂが線状にあらわれるものを示したが、図２４に示されている稜線２１ｂが幅寸法Ｗ３を有する面状にあらわれる反射板２１を用いる場合でも、幅寸法Ｗ３（一方の面２１ａと他方の面２１ａとの距離）が幅寸法Ｗ２と比較して十分に小さい場合には、第８実施形態と同様の作用効果を奏する。具体的には、幅寸法Ｗ３は幅寸法Ｗ２の１／５以下であることが好ましく、１／１０以下であることがより好ましく、１／２０以下であることがさらに好ましい。即ち、幅寸法Ｗ３は小さければ小さい方が良い。また、図２４では稜線２１ｂは平面であるが、凸曲面や凹曲面とすることも可能である。
【０１３７】
前記第８〜第１４実施形態では、稜線２１ｂと傾向ランプ３０の光軸面ＬＳとが一致しているものを示した。これに対し、図４０に示すように、稜線２１ｂと蛍光ランプ３０の光軸面ＬＳとをＹ方向にずらすことも可能である。この場合でも、蛍光ランプ３０の光軸面ＬＳに対して所定の照射角度範囲ζ２の光が第１の反射面２１によって反射するので、角度ζ２が図３８の実験結果に沿ったものであれば、前述と同様の作用効果を奏する。また、図３８のように、稜線２１ｂと蛍光ランプ３０の光軸面ＬＳとを積極的にＹ方向にずらすことにより、蛍光ランプ３０の光軸面ＬＳが配置される側の第２の反射面２２の光の反射量を多くすることも可能である。
【０１３８】
前記第８〜第１４実施形態では、複数の蛍光管３１がＹ方向に並設された蛍光ランプ３０を用いるものを示したが、蛍光管３１が１本であっても前述と同様の作用効果を奏する。
【０１３９】
また、図４１に示すように、蛍光ランプ３０において、各ランプ内反射板４０が少し外側を向くように配置されていても、蛍光ランプ３０の光軸面ＬＳに対して所定の比較照射角度範囲ζ２の光が第１の反射面２１の一対の面２１ａによって受光されるようになっていれば、前述と同様の作用効果を奏する。
【０１４０】
前記第８〜第１４実施形態では、蛍光ランプ３０の各蛍光管３１が直線上であるものを示したが、図４２に示すように、蛍光ランプ３０がリング状であり、各蛍光管３１がリング状である場合であっても、前記第８〜第１４実施形態と同様の構成を採用することができる。この場合、前記Ｘ方向は円周方向となり、前記Ｙ方法は半径方向となり、反射板２０がリング状となる。この場合でも前記第８〜第１４実施形態と同様の作用効果を奏する。
【０１４１】
前記第８〜第１４実施形態では、第１の反射面２１の各面２１ａが完全に平面から成るものを示したが、図２９の反射板２０のように、曲率半径が幅寸法Ｗ２の２倍以上、又は深さ寸法ＤＰ又は突出寸法が１ｍｍ以下の曲面によって各面２１ａが構成されている場合、各面２１ａは平面であるものとする。理由としては、このように若干の湾曲を有する曲面を用いる場合であっても、角度β等が前記各実施形態と同様に設定されていることにより、前記各実施形態と同様の作用効果を奏するからである。
【０１４２】
また、第２の反射面２２の各面２２ａ〜２２ｄについても、曲率半径が幅寸法Ｗ２の２倍以上、又は深さ寸法ＤＰ又は突出寸法が１ｍｍ以下の曲面によって構成されている場合、各面２２ａ〜２２ｄは平面であるものとする。
【０１４３】
前記第８〜第１４実施形態では、蛍光ランプ３０の各反射板４０が第１の反射面４１と第２の反射面４２とを有するものを示した。これに対し、図４３に示すように、第８実施形態において、蛍光ランプ３０の各反射板４０をそれぞれ反射板５０で置換することも可能である（第１５実施形態）。反射板５０は円筒の周方向の一部を切り取った形状を有する。または、図４４に示すように、第８実施形態において、蛍光ランプ３０の２枚の反射板４０を１枚の反射板６０で置換することも可能である（第１６実施形態）。または、図４５に示すように、第８実施形態において、蛍光ランプ３０を１つの蛍光管７０によって置換することも可能である（第１７実施形態）。
【０１４４】
第１７実施形態の場合、蛍光管７０は冷陰極管を用いることも可能であり、冷陰極管ではないＴ４蛍光管やＴ５蛍光管やの他の蛍光管を用いることも可能である。本実施形態の場合は通常の蛍光管を用いており、蛍光管７０の幅（直径）Ｗ１は２８ｍｍである。蛍光管７０はその延設方向と直交する方向において３６０°の光照射角度範囲に光を照射するものである。また、蛍光管７０から照射される光のうち所定の光照射角度範囲ζ２（本実施形態ではζ２は２８°）の光が反射板２０の第１の反射面２１によって受光されるようになっている。
【０１４５】
図４６は実験結果を示すものであり、図２１及び図３８の場合と同様の方法で評価を行った結果を示すものである。この実験結果は、第１５〜第１７実施形態の照明装置を製作し、照射位置である床における照度及び照度のむらを評価したものである。図４６における実験例２５〜２７は第１５〜第１７実施形態にそれぞれ対応している。また、図４６における比較例５、６及び７は、第１５、１６及び１７実施形態において、図３９の場合と同様に、第１の反射面２１の代わりに平面である反射面を設けたものである。
【０１４６】
図４６の実験例２５〜２７と比較例５〜７との比較から、反射板２０に第１の反射面２１を設けることにより、床面の照度が高くなり、且つ、照度バラツキが小さくなることが確認された。
【０１４７】
また、図４６の実験例２５及び２６と図３８の実験例１３との比較から、蛍光ランプ３０のランプ反射板４０に第１の反射面４１を設けることにより、床面の照度が高くなることが確認された。この結果は、ランプ反射板４０に第１の反射面４１を設ける方が、蛍光ランプ３０の蛍光管３１からの光を有効に用いることができることを示している。
【０１４８】
尚、第１７実施形態において、蛍光管７０の直径ｄ２や、蛍光管７０と稜線２１ｂとの距離や、第１の反射面２１の幅Ｗ２や角度βなどは、蛍光管７０の仕様や照射位置等の状況に応じて適宜変更可能であるが、角度ζ２や角度βや距離Ｄや角度γ１〜４が図３８の実験結果に沿ったものであれば、前記第８〜第１４実施形態と同様に、蛍光管７０からの光を効果的に照射位置に照射することができる。
【０１４９】
第８実施形態の蛍光ランプ３０を用いる場合、図３８における比較例３のように、蛍光ランプ３０の光軸面ＬＳが真下を向き、蛍光ランプ３０からの光のほとんどが床に直接照射されるようにする場合でも、前述のようにランプ反射板４０によって各蛍光管３１からの光を有効に用いることができる。このため、第８実施形態の蛍光ランプ３０はこれ単体で照明装置として使用することも可能である。
【０１５０】
蛍光ランプ３０において、蛍光管３１の直径ｄ１や、蛍光管３１と稜線４１ｂとの距離Ｄ１や、第１の反射面４１の幅Ｗ３や、角度εなどは、蛍光管３１の仕様や蛍光管３１によって光を照射する照射位置の状況に応じて適宜変更可能である。ここで、蛍光ランプ３０における反射板４０の角度δ２や角度εや距離Ｄ１や角度γ５〜７は、第８実施形態等の照明装置における反射板２０の角度ζ２や角度βや距離Ｄや角度γ１〜４に対応するものである。このため、蛍光ランプ３０の反射板４０における角度δ２や角度εや距離Ｄ１や角度γ５〜７を角度ζ２や角度βや距離Ｄや角度γ１〜４に置き換えて考え、これらを図３８の実験結果に沿ったものとすることにより、前記第８〜第１４実施形態と同様に、蛍光管３１からの光をより効果的に利用することができると言える。
【０１５１】
尚、前記各実施形態では室内の天井に設ける照明装置を示したが、これらを看板や液晶画面のバックライトに前記各実施形態の構造の照明装置を用いることも可能であり、植物を栽培するための照明装置として用いることも可能であり、その他の用途の照明装置として使用することも可能である。
【０１５２】
例えば、図３０に示すように、第１実施形態の構成の照明装置の前方にアクリル板２００が配置された看板装置において、アクリル板２００を各ＬＥＤ素子１１の光によって照明する場合などは、図２１の実験結果等で示したように、アクリル板に照射される光の照度のむらが少なくなり、また、アクリル板２００の背面に照射される光の量を効果的に向上することができる。これにより、アクリル板をＡ方向から見た際のアクリル板の明るさのむらを低減することができ、アクリル板を明るく見せることができる。
【０１５３】
他の例としては、図４７に示すように、所定方向に延設された複数の蛍光管３１と、複数の蛍光管３１の背面側にそれぞれ設けられた複数の反射板４０と、複数の蛍光管３１の前方に設けられた拡散板３００とを備えた液晶用のバックライトを構成することが可能である（第１８実施形態）。この場合は、液晶の輝度の向上や液晶用バックライトに用いられる電力の低減を効果的に図ることが可能となる。
【０１５４】
上記の実施形態は、この発明の原理の適用を例示する多数の可能な実施形態のうちのいくつかを例示したものである。その他の数々のかつ様々な変形は、この発明の要旨を変更しない範囲で、この分野の当業者によって容易に構成することができる。
【符号の説明】
【０１５５】
１０…光源、１１…ＬＥＤ素子、１２…透光カバー、１３…基板、１４…ヒートシンク、１５…口金、１５ａ…端子、２０…反射板、２１…第１の反射面、２１ａ…面、２１ｂ…稜線、２２…第２の反射面、２２ａ…第１の面、２２ｂ…第２の面、２２ｃ…第３の面、２２ｄ…第４の面、２３…フランジ部、３０…蛍光ランプ、３１…蛍光管、３２…透光カバー、３３…ケース、３４…口金、３４ａ…端子３４ａ、４０…反射板、４１…第１の反射面、４１ａ…面、４１ｂ…稜線、２２…第２の反射面、４２ａ…第１の面、４２ｂ…第２の面、４２ｃ…第３の面、４２ｄ…第４の面、１００…ソケット、４００…電力供給ユニット、４１０…ＭＰＰＴチャージコントローラ、４２０…ＡＣ／ＤＣコンバータ、４３０…二次電池、４４０…出力部、４５０…ＤＣ／ＡＣコンバータ、４６１…第１コントローラ、４６２…第２コントローラ、４６３…第３コントローラ、４７１…第１センサー、４７２…第２センサー、４７３…第３センサー、４７４…第４センサー、５００…太陽光発電パネル、６００…商用電源。
【図１】
2014017221.tif 000003
【図２】
2014017221.tif 000004
【図３】
2014017221.tif 000005
【図４】
2014017221.tif 000006
【図５】
2014017221.tif 000007
【図６】
2014017221.tif 000008
【図７】
2014017221.tif 000009
【図８】
2014017221.tif 000010
【図９】
2014017221.tif 000011
【図１０】
2014017221.tif 000012
【図１１】
2014017221.tif 000013
【図１２】
2014017221.tif 000014
【図１３】
2014017221.tif 000015
【図１４】
2014017221.tif 000016
【図１５】
2014017221.tif 000017
【図１６】
2014017221.tif 000018
【図１７】
2014017221.tif 000019
【図１８】
2014017221.tif 000020
【図１９】
2014017221.tif 000021
【図２０】
2014017221.tif 000022
【図２１】
2014017221.tif 000023
【図２２】
2014017221.tif 000024
【図２３】
2014017221.tif 000025
【図２４】
2014017221.tif 000026
【図２５】
2014017221.tif 000027
【図２６】
2014017221.tif 000028
【図２７】
2014017221.tif 000029
【図２８】
2014017221.tif 000030
【図２９】
2014017221.tif 000031
【図３０】
2014017221.tif 000032
【図３１】
2014017221.tif 000033
【図３２】
2014017221.tif 000034
【図３３】
2014017221.tif 000035
【図３４】
2014017221.tif 000036
【図３５】
2014017221.tif 000037
【図３６】
2014017221.tif 000038
【図３７】
2014017221.tif 000039
【図３８】
2014017221.tif 000040
【図３９】
2014017221.tif 000041
【図４０】
2014017221.tif 000042
【図４１】
2014017221.tif 000043
【図４２】
2014017221.tif 000044
【図４３】
2014017221.tif 000045
【図４４】
2014017221.tif 000046
【図４５】
2014017221.tif 000047
【図４６】
2014017221.tif 000048
【図４７】
2014017221.tif 000049
【図４８】
2014017221.tif 000050